(57)【要約】【課題】コンテンツを取得する取得部の数よりも、この取得部によって取得したコンテンツが与えられる出力先の数が多い場合に、出力先に安定してコンテンツを与えることができる情報取得出力装置を提供する。【解決手段】中央制御手段１１は、表示装置２１、記録部４、第１ＰＣ２４および第２ＰＣ２６のいずれか１つの出力先にコンテンツを出力する出力要請に基づいて、取得したコンテンツを前記１つの出力先に与えているときに、そのコンテンツを取得したアナログテレビチューナ２における放送局２０の選択の変更であって、かつ前記１つの出力先への出力要請よりも後から入力された他の出力先への出力要請に基づく変更を禁止するので、画像入出力部２によって取得したコンテンツを出力先に安定して与えることができ、出力先では、コンテンツを安定して得ることができる。【選択図】      図１
2004153730.tif 000002
【特許請求の範囲】
【請求項１】
経時的に変化するコンテンツを、予め設定される提供時間枠に区切られる提供予定に従って提供する複数の提供元からのコンテンツを取得する少なくとも１つ以上の取得部を備え、取得部は、各提供元のうちの１つの提供元を選択して、選択した提供元からのコンテンツを取得する取得手段と、
取得部によって取得したコンテンツを、取得部の数よりも多い数の出力先に与える出力手段と、
各出力先にコンテンツを出力する出力要請を入力する入力手段と、
いずれか１つの出力先への出力要請に基づいて、取得したコンテンツを前記１つの出力先に与えているとき、そのコンテンツを取得した取得部における提供元の選択の変更であって、かつ前記１つの出力先への出力要請よりも後から入力された他の出力先への出力要請に基づく変更を禁止するように、取得手段を制御する制御手段とを含むことを特徴とする情報取得出力装置。
【請求項２】
制御手段は、入力される出力要請に基づいて、先に入力された出力要請を優先させて、その出力要請の出力先の使用権として取得部の使用権を設定し、この使用権に基づいて、取得手段を制御することを特徴とする請求項１記載の情報取得出力装置。
【請求項３】
制御手段は、出力要請が入力されたとき、既に取得部の使用権が設定されていて、取得部の使用権を設定することができない場合であって、その出力要請が既に使用権の設定されている取得部で取得されるコンテンツと同一の場合には、その出力要請に基づいてコンテンツを出力するように、出力手段を制御することを特徴とする請求項２記載の情報取得出力装置。
【請求項４】
前記各提供元から提供されるコンテンツを、各提供元のうちの１つの提供元を選択して取得する他の装置と通信する通信手段をさらに含み、
制御手段は、通信手段を介して、取得手段が備える取得部と同様に他の装置を制御可能であることを特徴とする請求項１〜３のいずれかに記載の情報取得出力装置。
【請求項５】
前記各提供元から提供されるコンテンツを、各提供元のうちの１つの提供元を選択して取得する他の装置と通信する通信手段をさらに含み、
制御手段は、通信手段を介して、取得手段の取得部におけるコンテンツの取得状況を他の装置に与えることができるとともに、他の装置におけるコンテンツの取得状況を取得可能であることを特徴とする請求項１〜３のいずれかに記載の情報取得出力装置。
【請求項６】
取得部の使用権の設定状態を図表示するための表示データを生成するデータ生成手段をさらに含むことを特徴とする請求項２または３記載の情報取得出力装置。
【発明の詳細な説明】
【０００１】
【発明の属する技術分野】
本発明は、たとえば動画像などのコンテンツを取得し、出力先に与える情報取得出力装置に関する。
【０００２】
【従来の技術】
コンテンツを取得して出力先に与える情報取得出力装置の第１の先行技術として、サーバから提供される複数のチャンネルの中から所望の受信チャンネルのコンテンツのみを受信するブロードキャスト装置がある（たとえば特許文献１参照）。
【０００３】
また第２の先行技術として、複数のテレビジョンに、サーバから異なった複数のビデオ番組を同時に提供するビデオ制御装置がある（たとえば特許文献２参照）。
【０００４】
【特許文献１】
特開平９−２１９７１３号公報
【特許文献２】
特開２００１−６９４８８号公報
【０００５】
【発明が解決しようとする課題】
コンテンツを取得する取得部の数よりも、この出力部で取得したコンテンツを出力する出力先の数が多い場合では、取得手段に複数の出力先から異なる提供元のコンテンツを出力する出力要請がある場合、取得手段によって取得するコンテンツが出力要請に応じて提供元を変更してしまうと、出力先では安定してコンテンツを得ることができないといった問題がある。
【０００６】
前述した第１および第２の先行技術では、コンテンツを取得する取得手段の数よりも出力先の数の方が多い場合を想定していないので、この問題を解決することができない。
【０００７】
本発明の目的は、コンテンツを取得する取得部の数よりも、この取得部によって取得したコンテンツが与えられる出力先の数が多い場合に、出力先に安定してコンテンツを与えることができる情報取得出力装置を提供することである。
【０００８】
【課題を解決するための手段】
本発明は、経時的に変化するコンテンツを、予め設定される提供時間枠に区切られる提供予定に従って提供する複数の提供元からのコンテンツを取得する少なくとも１つ以上の取得部を備え、取得部は、各提供元のうちの１つの提供元を選択して、選択した提供元からのコンテンツを取得する取得手段と、
取得部によって取得したコンテンツを、取得部の数よりも多い数の出力先に与える出力手段と、
各出力先にコンテンツを出力する出力要請を入力する入力手段と、
いずれか１つの出力先への出力要請に基づいて、取得したコンテンツを前記１つの出力先に与えているとき、そのコンテンツを取得した取得部における提供元の選択の変更であって、かつ前記１つの出力先への出力要請よりも後から入力された他の出力先への出力要請に基づく変更を禁止するように、取得手段を制御する制御手段とを含むことを特徴とする情報取得出力装置である。
【０００９】
本発明に従えば、制御手段は、いずれか１つの出力先にコンテンツを出力する出力要請に基づいて、取得したコンテンツを前記１つの出力先に与えているときに、そのコンテンツを取得した取得部における提供元の選択の変更であって、かつ前記１つの出力先への出力要請よりも後から入力された他の出力先への出力要請に基づく変更を禁止する。つまり、異なる出力先にそれぞれ異なるコンテンツを出力する出力要請が入力手段によって入力された場合に、後から入力された出力要請によって、取得部が選択してコンテンツを取得している提供元の変更してしまうことを防止することができる。したがって、各出力先での取得手段が取得するコンテンツを提供する提供元の変更の競合を防止することができ、１つの出力先に取得手段によって取得したコンテンツが与えられているときには、この出力先に出力されるコンテンツが不所望に他のコンテンツに変更されることを防止することができるので、取得手段によって取得したコンテンツを出力先に安定して与えることができ、出力先では、コンテンツを安定して得ることができる。
【００１０】
また本発明は、制御手段は、入力される出力要請に基づいて、先に入力された出力要請を優先させて、その出力要請の出力先の使用権として取得部の使用権を設定し、この使用権に基づいて、取得手段を制御することを特徴とする。
【００１１】
本発明に従えば、制御手段は、入力される出力要請に基づいて、先に入力された出力要請を優先させて、その出力要請の出力先の使用権として取得部の使用権を設定する。したがって、制御手段は、設定した取得部の使用権を確認することによって、取得手段における提供元の選択の変更を禁止するか否かを容易に判定することができ、取得部における提供元の選択の変更を効率的に行うことができる。
【００１２】
また本発明は、制御手段は、出力要請が入力されたとき、既に取得部の使用権が設定されていて、取得部の使用権を設定することができない場合であって、その出力要請が既に使用権の設定されている取得部で取得されるコンテンツと同一の場合には、その出力要請に基づいてコンテンツを出力するように、出力手段を制御することを特徴とする。
【００１３】
本発明に従えば、制御手段は、出力先にコンテンツを出力する出力要請が入力手段によって入力されたときに、既に取得部の使用権が設定されていて、取得部の使用権を設定することができない場合であって、その出力要請が既に使用権の設定されている取得部で取得されるコンテンツと同一の場合には、その出力要請に基づいてコンテンツを出力するように出力手段を制御する。つまり制御手段は、出力先のコンテンツを出力する出力要請が同じであれば、複数の出力先に取得手段によって取得した同一のコンテンツを与える。したがって、複数の出力先においては、同じコンテンツを得ることができるので、取得手段によって取得したコンテンツの利用範囲が拡大する。
【００１４】
また本発明は、前記各提供元から提供されるコンテンツを、各提供元のうちの１つの提供元を選択して取得する他の装置と通信する通信手段をさらに含み、
制御手段は、通信手段を介して、取得手段が備える取得部と同様に他の装置を制御可能であることを特徴とする。
【００１５】
本発明に従えば、制御手段は、各提供元のうちの１つの提供元を選択して取得する他の装置を、取得手段が備える取得部と同様に通信手段を介して制御可能である。つまり制御部は、この制御手段に接続される他の装置を制御することによって、コンテンツを取得することができる。したがって、出力先の出力要請に基づいて、取得手段がコンテンツを１つの出力先に与えている場合であっても、他の出力先への出力要請に基づいて、通信手段を介して他の装置からコンテンツを取得することができるので、出力先への出力要請に基づいて、効率的にコンテンツを出力先に与えることができる。
【００１６】
また本発明は、前記各提供元から提供されるコンテンツを、各提供元のうちの１つの提供元を選択して取得する他の装置と通信する通信手段をさらに含み、
制御手段は、通信手段を介して、取得手段の取得部におけるコンテンツの取得状況を他の装置に与えることができるとともに、他の装置におけるコンテンツの取得状況を取得可能であることを特徴とする。
【００１７】
本発明に従えば、制御手段は、通信手段を介して、取得手段の取得部におけるコンテンツ取得状況を他の装置に与えることができるとともに、他の装置におけるコンテンツの取得状況を取得可能である。したがって制御手段は、他の装置がコンテンツを取得しているか否かが判るので、コンテンツを取得していない場合には、他の装置を制御して、出力先への出力要請に基づいて、コンテンツを取得させることによって、コンテンツを効率的に出力先に与えることができる。
【００１８】
また本発明は、取得部の使用権の設定状態を図表示するための表示データを生成するデータ生成手段をさらに含むことを特徴とする。
【００１９】
本発明に従えば、表示データは、取得部の使用権の設定状態を図示するときに生成されるので、利用者に、取得部の使用権の設定状態、つまり利用者が望む出力要請の出力先に使用権を設定することができるか否かを容易に判断することができる。
【００２０】
【発明の実施の形態】
図１は、本発明の実施の一形態の画像記録再生装置１の構成を示すブロック図である。画像記録再生装置１は、たとえば動画像および音声が含まれる動画像などの経時的に変化するコンテンツを、予め設定される提供時間枠に区切られる提供予定に従って提供する複数の放送局２０からのコンテンツを取得し、取得したコンテンツを、画像記録再生装置１に接続される表示装置２１に表示させる。また画像記録再生装置１は、取得したコンテンツを記録し、記録されたコンテンツを再生して表示装置２１に表示させる。画像記録再生装置１は、画像入出力部２、オンスクリーンディスプレイ生成部３、記録部４、プログラムメモリ５、データメモリ６、指示入力部７、計時部８、通信部９、メモリカード接続部１０および中央制御部１１を含んで構成される。
【００２１】
画像入出力部２は、アナログテレビチューナ２ａ、ＡＤコンバータ２ｂ、ＭＰＥＧ２エンコーダ２ｃ、ＭＰＥＧ２デコーダ２ｄおよびＤＡコンバータ２ｅを備える。画像入出力部２には、放送局２０からのアナログテレビジョン放送電波を受信するためのアンテナ２ｆが接続される。また画像入出力部２には、たとえばテレビジョン受像装置などで実現される表示装置２１および図示しないアナログ方式のビデオテープレコーダ（Ｖｉｄｅｏ  Ｔａｐｅ  Ｒｅｃｏｒｄｅｒ  ；略称：ＶＴＲ）などに接続可能なアナログ画像出力端子およびアナログ音声出力端子ならびにアナログ画像入力端子およびアナログ音声入力端子が備えられる。以後これらの入力端子および出力端子をまとめて、アナログ入出力端子と表記することがある。
【００２２】
各放送局２０からのコンテンツは、各放送局２０に割り振られたチャンネルに対応する搬送波周波数のアナログテレビジョン放送電波によって提供され、アナログテレビチューナ２ａは、選局される放送局２０からのアナログテレビジョン放送電波、換言すれば選択されるチャンネルに対応する搬送波周波数のアナログテレビジョン放送電波を、アンテナ２ｆを介して受信して増幅する。さらにアナログテレビチューナ２ａは、受信したアナログテレビジョン放送電波に含まれ、コンテンツを表すアナログコンテンツ信号を抽出する検波を行う。前記アナログテレビチューナ２ａによって検波されたアナログコンテンツ信号は、ＡＤコンバータ２ａおよびアナログ入出力端子に接続される表示装置２１およびＶＴＲに与えられてもよい。コンテンツは、アナログテレビチューナ２ａによって、アナログデータとして取得される。
【００２３】
ＡＤコンバータ２ｂは、アナログコンテンツ信号をデジタルコンテンツ信号に変換するアナログ・デジタル（Ａｎａｌｏｇ  ｔｏ  Ｄｉｇｉｔａｌ  ；略称：ＡＤ）変換を行う。前記アナログコンテンツ信号は、アナログテレビチューナ２ａおよびアナログ入出力端子に接続されるＶＴＲから与えられてもよい。前記デジタルコンテンツ信号は、ＭＰＥＧ２エンコーダ２ｃおよび中央制御部１１に与える。コンテンツは、このＡＤコンバータ２ｂでＡＤ変換されてデジタルデータ化される。
【００２４】
ＭＰＥＧ２エンコーダ２ｃは、ＭＰＥＧ２規格に基づいて、デジタルコンテンツ信号を符号化して、符号化コンテンツ信号を生成する。前記デジタルコンテンツ信号は、ＡＤコンバータ２ｂから与えられてもよい。前記符号化コンテンツ信号は、中央制御部１１を介して、記録部４、通信部９およびメモリカード接続部１０に与えられてもよい。コンテンツは、このＭＰＥＧ２エンコーダ２ｃで符号化される。
【００２５】
ＭＰＥＧ２デコーダ２ｄは、ＭＰＥＧ２規格で符号化される符号化コンテンツ信号を復号化して、デジタルコンテンツ信号を生成する。前記符号化コンテンツ信号は、記録部４、通信部９およびメモリカード接続部１０から与えられてもよい。前記デジタルコンテンツ信号は、ＤＡコンバータ２ｅに与えられてもよい。コンテンツは、このＭＰＥＧ２デコーダ２ｄで複合化され、デジタルデータ化される。
【００２６】
ＤＡコンバータ２ｅは、デジタルコンテンツ信号をアナログコンテンツ信号に変換するデジタル・アナログ（Ｄｉｇｉｔａｌ  ｔｏ  Ａｎａｌｏｇ  ；略称：ＤＡ）変換を行う。前記デジタルコンテンツ信号は、ＭＰＥＧ２デコーダ２ｄから与えられてもよい。前記アナログコンテンツ信号は、アナログ入出力端子に接続される表示装置２１およびＶＴＲに与えられてもよい。コンテンツは、このＤＡコンバータ２ａでＤＡ変換されてアナログデータ化される。
【００２７】
表示装置２１は、画像記録装置１からアナログコンテンツ信号によってコンテンツが与えられ、コンテンツである動画像を表示したり、音声を出力したりする。
【００２８】
画像入出力部２は、アンテナ２ｆを介して受信される、放送局２０からのデジタルテレビジョン放送電波に含まれ、コンテンツを表すデジタルコンテンツ信号を抽出する検波を行うデジタルテレビチューナを、さらに備えるようにしてもよい。この場合、デジタルコンテンツ信号は、ＭＰＥＧ２規格に基づいて符号化される符号化コンテンツ信号である。前記符号化コンテンツ信号は、ＭＰＥＧ２デコーダ２ｄに与えられたり、中央制御部１１を介して記録部４に与えられるようにしてもよい。このようにデジタルデータとしてコンテンツを取得するようにしてもよい。
【００２９】
また画像入出力部２は、たとえばデジタル方式でコンテンツを記録可能なハードディスクレコーダ（Ｈａｒｄ  Ｄｉｓｋ  Ｒｅｃｏｒｄｅｒ）、パーソナルビデオレコーダ（Ｐｅｒｓｏｎａｌ  Ｖｉｄｅｏ  Ｒｅｃｏｒｄｅｒ  ；略称：ＰＶＲ）およびＤＶＤ（Ｄｉｇｉｔａｌ  Ｖｅｒｓａｔｉｌｅ  Ｄｉｓｋ）レコーダなどに接続可能なデジタル画像入出力端子およびデジタル音声入出力端子（以後これらの端子をまとめて「デジタル入出力端子」と表記することがある。）を備えるようにしてもよい。この場合、コンテンツは、デジタルコンテンツ信号によって、デジタル入出力端子に接続されるデジタル方式のビデオレコーダに与えられてもよい。
【００３０】
オンスクリーンディスプレイ（Ｏｎ−Ｓｃｒｅｅｎ  Ｄｉｓｐｌａｙ  ；略称：ＯＳＤ）生成部３は、中央制御部１１によって制御され、画像入出力部２から表示装置２１に出力されるアナログデータ形式のコンテンツに合成して、表示装置２１に表示させるための合成データを生成する。
【００３１】
記録部４は、たとえばハードディスクドライブ（Ｈａｒｄ  Ｄｉｓｋ  Ｄｒｉｖｅ  ；略称：ＨＤＤ）などの固定型の磁気記録媒体用いた手段およびデジタル多機能ディスク（Ｄｉｇｉｔａｌ  Ｖｅｒｓａｔｉｌｅ  Ｄｉｓｋ；略称：ＤＶＤ）などの着脱可能な光記録媒体を用いた手段によって実現される。記録部４は、画像データ記録部４ａおよびインデックスデータ記録部４ｂを有する。画像データ記録部４ａには、符号化されたコンテンツが記録される。前記符号化されたコンテンツは、画像入出力部２およびメモリカード接続部１０から与えられてもよい。インデックスデータ記録部４ｂには、前記符号化されたコンテンツの、記録部４における記録アドレス、記録日時、チャンネルおよび符号化ビットレートなどの記録情報、ならびにコンテンツのタイトルなどを含むインデックスが記録される。記録部４は、後述する中央制御部１１によって制御される。
【００３２】
指示入力部７は、キーボードおよびリモートコントローラ（略称：リモコン）２２からのリモコン信号を受信するリモコン受信部などで実現される。指示入力部７は、利用者の入力操作によって、各種入力指令が入力される。
【００３３】
プログラムメモリ５は、たとえばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ  ）およびフラッシュメモリ（ｆｌａｓｈ  ｍｅｍｏｒｙ）などの書換え可能な不揮発性メモリで実現される。プログラムメモリ５には、中央制御部１１が実行可能な、記録再生制御プログラム５ａ、画像変換プログラム５ｂ、ＥＰＧ取得プログラム５ｃ、記録予約制御プログラム５ｄ、キーワード予約制御プログラム５ｅ、おすすめ予約制御プログラム５ｆ、フォトアルバム制御プログラム５ｇ、嗜好データ抽出プログラム５ｈおよびＥＰＧ表示プログラム５ｉが記憶されている。各プログラム５ａ〜５ｉの詳細な説明は後述する。
【００３４】
データメモリ６は、たとえばランダムアクセスメモリ（Ｒａｎｄｏｍ  Ａｃｃｅｓｓ  Ｍｅｍｏｒｙ；略称：ＲＡＭ）などの揮発性メモリで実現される。データメモリ６は、記録再生予約データ記憶部６ａ、ＥＰＧデータ記憶部６ｂ、キーワードデータ記憶部６ｃおよび嗜好データ記憶部６ｄを有する。
【００３５】
記録再生予約データ記憶部６ａは、放送局２０からのコンテンツを記録部４に記録することを予約する記録予約に必要な予約情報を記憶する。キーワードデータ記憶部６ｃは、指示入力部７から入力された利用者に関する嗜好キーワードを記憶する。嗜好データ記憶部６ｄは、利用者の利用状況に基づく嗜好データを記憶する。
【００３６】
ＥＰＧデータ記憶部６ｂは、インターネット２５を介して接続されるＥＰＧサーバ２７に蓄積される電子番組案内（Ｅｌｅｃｔｒｏｎｉｃ  Ｐｒｏｇｒａｍ  Ｇｕｉｄｅ；略称：ＥＰＧ）を記憶する。放送局２０は、前記ＥＰＧで表され、予め設定される提供時間枠に区切られる提供予定に従って、アナログテレビジョン放送電波を送信することによって、コンテンツを提供する。ＥＰＧは、詳細に述べると、搬送波周波数に対応する各チャンネル毎に、各提供時間枠で提供されるコンテンツのタイトル、ジャンル、出演者名などのキーワードを含むインデックスを有する。ＥＰＧは、放送局２０からのデジタルコンテンツ信号に重畳して画像記録再生装置１に与えるようにしてもよい。この場合、画像入出力部２によって、デジタルコンテンツ信号からＥＰＧが抽出され、抽出されたＥＰＧは、ＥＰＧデータ記憶部６ｂに記憶される。また、ＥＰＧは、放送局２０からのアナログテレビジョン放送電波における映像信号の垂直帰線区間（Ｖｅｒｔｉｃａｌ  Ｂｌａｎｋｉｎｇ  Ｉｎｔｅｒｖａｌ  ；略称：ＶＢＩ）に重畳して画像記録再生装置１に与えるようにしてもよい。この場合、画像入出力部２によって、映像信号のＶＢＩからＥＰＧが抽出され、抽出されたＥＰＧは、ＥＰＧデータ記憶部６ｂに記憶される。
【００３７】
キーワードデータ記憶部６ｃは、指示入力部７から入力される嗜好キーワードを記憶する。嗜好データ記憶部６ｄは、嗜好データを記憶する。前記嗜好データは、利用者の利用状況に基づいて設定される。また嗜好データは、指示入力部７から入力されてもよい。嗜好データは、たとえば利用者の興味のあるジャンル、高頻度で記録されるコンテンツのタイトルなどである。
【００３８】
計時部８は、たとえばリアルタイムクロック（Ｒｅａｌ  Ｔｉｍｅ  Ｃｌｏｃｋ  ；略称：ＲＴＣ）で実現される。計時部８は、中央制御部１１、プログラムメモリ５およびデータメモリ６の動作の基準となるシステムクロック、ならびに現在時刻などを含むの計時情報を中央制御部１１に与える。
【００３９】
通信部９は、ローカルエリアネットワーク（Ｌｏｃａｌ  Ａｒｅａ  Ｎｅｔｗｏｒｋ；略称：ＬＡＮ）２３を介して第１パーソナルコンピュータ（以後「第１ＰＣ」と略して表記する。）２４に接続して通信可能である。また通信部９は、インターネット２５を介して、第２パーソナルコンピュータ（以後「第２ＰＣ」を略して表記する。）２６、ＥＰＧサーバ２７および携帯電話装置２８に接続して通信可能である。また通信部９は、ＬＡＮ２３を介して接続される第１ＰＣ２４が、インターネット２５を介して、第２ＰＣ２６、ＥＰＧサーバ２７および携帯電話装置２８に接続して通信できるようにするゲートウェイ機能およびルーティング機能を有する。第１および第２ＰＣ２４，２５は、それぞれ１つであってもよいし、複数であってもよい。
【００４０】
また通信部９は、インターネット２５を介して接続されるパーソナルコンピュータなどの通信端末装置から、不正なデータが入って来ないようにするファイアウォール機能を有するようにしてもよい。またＬＡＮ２３は、有線であっても無線であってもよい。
【００４１】
メモリカード接続部１０は、たとえばフラッシュメモリなどの書換え可能な不揮発性メモリを備えるメモリカードを着脱自在にして接続可能である。メモリカード接続部１０にメモリカードを装着することによって接続され、中央制御部１１による制御によって、メモリカードに記憶されている情報を読出したり、メモリカードに情報を記憶させたりする。メモリカードには、たとえばデジタルスチルカメラによって撮影された静止画像を表すフォトデータが記憶されてもよい。
【００４２】
中央制御部１１は、たとえば中央演算処理装置（Ｃｅｎｔｒａｌ  Ｐｒｏｃｅｓｓｉｎｇ  Ｕｎｉｔ  ；略称：ＣＰＵ）で実現され、計時部８からの計時情報に基づいて駆動し、プログラムメモリ５に記憶されている各プログラム５ａ〜５ｉを実行して、各種処理を行う。
【００４３】
中央制御部１１は、記録再生制御プログラム５ａを実行することによって、指示入力部７からの入力指令およびデータメモリ６の記録再生予約データ記憶部６ａに記憶される予約情報に従って、予約されるコンテンツを取得して画像データ記録部４ａに記録するように、画像入出力部２および記録部４を制御する。またこのとき、中央制御部１１は、画像データ記録部４ａに記録されるコンテンツに関連するインデックスを、インデックスデータ記録部４ｂに記録するように、記録部４を制御する。また中央制御部１１は、記録再生制御プログラム５ａを実行することによって、指示入力部７からの、画像データ記録部４ａに記録されているコンテンツを再生することを示す入力指令に従って、画像データ記録部４ａに記録されているコンテンツを表示装置２１に表示および出力させるように、画像入出力部２および記録部４を制御する。このとき記録部４に記録されているコンテンツは、ＭＰＥＧ２デコーダ２ｄに与えられて復号化され、さらにＤＡコンバータ２ｅに与えられてＤＡ変換されて、アナログ入出力端子から表示装置２１に与えられる。
【００４４】
画像入出力部２がデジタル入出力端子を備えている場合、中央制御部１１は、記録再生制御プログラム５ａを実行することによって、記録部４に記録されているコンテンツを、ＤＡコンバータ２ｅを介さずに、デジタル入出力端子に接続されているデジタル方式のビデオレコーダなどに与えるようにしてもよい。
【００４５】
中央制御部１１は、画像変換プログラム５ｂを実行することによって、記録部４に記録されているコンテンツに対して、たとえば符号化ビットレートを変更したり、符号化方式をＭＰＥＧ２からＭＰＥＧ４に変換したりする画像変換処理を行う。さらに中央制御部１１は、記録再生制御プログラム５ａを実行することによって、前述のような画像変換処理が施されたコンテンツを記録するように記録部４を制御したり、ＬＡＮ２３を介して接続される第１ＰＣ２４およびインターネット２５を介して接続される第２ＰＣ２６に与えるように通信部９を制御してもよい。
【００４６】
中央制御部１１は、ＥＰＧ取得プログラム５ｃを実行することによって、インターネット２５を介して接続されるＥＰＧサーバ２７に蓄積されるＥＰＧを取得するように通信部９を制御するとともに、取得したＥＰＧをデータメモリ６のＥＰＧデータ記憶部６ｂに記憶する。またＥＰＧが放送局２０からのデジタルコンテンツ信号に重畳して画像記録再生装置１に与えられる場合、中央制御部１１は、ＥＰＧ取得プログラム５ｃを実行することによって、デジタルコンテンツ信号からＥＰＧを抽出するように画像入出力部２を制御するとともに、抽出されたＥＰＧをＥＰＧデータ記憶部６ｂに記憶する。
【００４７】
中央制御部１１は、ＥＰＧ表示プログラム５ｉを実行することによって、ＥＰＧデータ記憶部６ｂに記憶されているＥＰＧを、利用者が容易に理解できるような一覧表形式に加工して、画像入出力部２から表示装置２１に与えられるコンテンツに重畳するようにＯＳＤ生成部３を制御する。これによって表示装置２１には、ＥＰＧの一覧表が重畳されるコンテンツが表示される。
【００４８】
利用者がリモコン２２および指示入力部７を入力操作して入力指令が入力されると、中央制御部１１は、記録予約制御プログラム５ｄを実行して、表示装置２１に表示されている一覧表上にカーソルを形成し、入力指令に応じてカーソルを移動させるようにＯＳＤ生成部３を制御する。利用者の入力操作によって所望のコンテンツが指定されると、中央制御部１１は、記録予約制御プログラム５ｄを実行して、ＥＰＧデータ記憶部６ｂに記憶されているＥＰＧに基づいて、指定されたコンテンツの記録開始日時、記録終了日時およびチャンネルなどを含む予約情報を、記録再生予約データ記憶部６ａに記憶する。
【００４９】
利用者がリモコン２２および指示入力部７を入力操作して、コンテンツの記録開始日時、記録終了日時、チャンネル、記録予定画質および記録または視聴の区別などを含む予約情報が入力されると、中央制御部１１は、記録予約制御プログラム５ｄを実行して、前記予約情報を記録再生予約データ記憶部６ａに記憶する。利用者が第１ＰＣ２４、第２ＰＣ２６および携帯電話装置２８を操作して、予約情報を入力して、前記記録予約がＬＡＮ２３およびインターネット２５を介して通信部９に与えられると、中央制御部１１は、記録予約制御プログラム５ｄを実行して、前記記録予約を記録再生予約データ記憶部６ａに記憶する。このようにして手動予約が行われる。
【００５０】
中央制御部１１は、キーワード予約制御プログラム５ｅを実行することによって、データメモリ６のキーワードデータ記憶部６ｃに記憶されている嗜好キーワードに基づいて、ＥＰＧデータ記憶部６ｂに記憶されているＥＰＧを検索して、前記嗜好キーワードを含むインデックスに対応するコンテンツを抽出し、前記コンテンツの提供時間枠およびチャンネルなどを含む予約情報を、記録再生予約データ記憶部６ａに記憶する。このようにしてキーワード予約が行われる。このとき記録開始日時は、提供時間枠におけるコンテンツの提供開始日時であり、記録終了日時は、提供時間枠におけるコンテンツの提供終了日時である。
【００５１】
中央制御部１１は、おすすめ予約制御プログラム５ｆを実行することによって、データメモリ６の嗜好データ記憶部６ｄに記憶されている嗜好データに基づいて、ＥＰＧデータ記憶部６ｂを検索して、前記嗜好データを含むインデックスに対応するコンテンツを抽出し、前記コンテンツの提供時間枠およびチャンネルなどを含む予約情報を記録再生予約データ記憶部６ａに記憶する。このようにして、おすすめ予約が行われる。このとき記録開始日時は、コンテンツの提供時間枠におけるコンテンツの提供開始日時であり、記録終了日時は、提供時間枠におけるコンテンツの提供終了日時である。
【００５２】
中央制御部１１は、フォトアルバム制御プログラム５ｇを実行することによって、メモリカード接続部１０によって読取られたメモリカードに記憶されているフォトデータを記録部４に記録する。また中央制御部１１は、フォトアルバム制御プログラム５ｇを実行することによって、表示装置２１、第１ＰＣ２４、第２ＰＣ２６および携帯電話装置２８に、記録部４に記録されているフォトデータを一覧表形式で表示できるようなフォトアルバムデータを生成する。このように生成されたフォトアルバムデータは、ＬＡＮ２３を介して接続される第１ＰＣ２４、ならびにインターネット２５を介して接続される第２ＰＣ２６および携帯電話装置２８に与えることができる。
【００５３】
中央制御部１１は、嗜好データ抽出プログラム５ｈを実行することによって、利用者の利用状況に基づいて嗜好データを生成して、データメモリ６の嗜好データ記憶部６ｄに記憶する。この嗜好データは、おすすめ予約が行われるときに用いられる。
【００５４】
図２は、表示装置２１に表示されるアプリメニューＭ１を示す図である。表示装置２１の表示画面において、前記表示画面に平行な予め定める第１方向を上方向、前記第１方向とは反対向きの方向を下方向、前記表示画面に平行であって前記第１方向に垂直な第２方向を右方向、前記第２方向とは反対向きの方向を左方向とする。
【００５５】
利用者がリモコン２２に設けられるメニューボタンを押圧すると、アプリメニューＭ１の表示を示す入力指令が指示入力部７に与えられる。中央制御部１１は、前記入力指令に基づいて、アプリメニューＭ１を表す表示データを生成して、前記表示データを画像入出力部２を介して、表示装置２１に与える。これによって図２に示すようなアプリメニューＭ１が表示装置２１に表示される。
【００５６】
アプリメニューＭ１は、ステータス表示領域Ａ１、項目表示領域Ａ２、項目説明表示領域Ａ３、コンテンツ表示領域Ａ４および操作説明表示領域Ａ５を有する。ステータス表示領域Ａ１は、表示画面において上端部に配置される。ステータス表示領域Ａ１には、メニュータイトル、記録モード、記録可能時間および現在日時などのステータス情報が表示される。項目表示領域Ａ２は、表示画面において中央部右寄りに配置される。項目表示領域Ａ２には、テレビＨ１、番組表Ｈ２、番組ナビＨ３、ビデオＨ４、予約Ｈ５、インターネットＨ６、フォトアルバムＨ７および設定Ｈ８を含むメニュー項目がマトリクス状に配置されて表示される。
【００５７】
項目説明表示領域Ａ３は、表示画面において左端部上寄りに配置される。項目説明表示領域Ａ３には、カーソルＣが重ねられて選択されているメニュー項目に関連する説明が表示される。コンテンツ表示領域Ａ４は、表示画面において左端部下寄りに配置される。コンテンツ表示領域Ａ４には、現在選択されているチャンネルに対応する放送局２０から提供されているコンテンツが表示される。操作説明表示領域Ａ５は、表示画面において下端部に配置される。操作説明表示領域Ａ５には、リモコン２２に設けられるボタンに対応する操作説明が表示される。
【００５８】
表示装置２１に図２に示すアプリメニューＭ１が表示されているとき、利用者は、リモコン２２に設けられるカーソルボタンを操作することによって、表示されているカーソルＣを上下左右に移動することができる。利用者は、リモコン２２を操作して、項目表示領域Ａ２に表示されている項目にカーソルＣを移動して所望とするメニュー項目のいずれか１つに重ねることで、前記メニュー項目を選択する。さらにこの状態で、利用者は、リモコン２２に設けられる決定ボタンを押圧することによって、選択したメニュー項目を決定して、選択されたメニュー項目に関連付けされる後述する各種メニューなどを、表示装置２１に表示することができる。
【００５９】
以後、リモコン２２のカーソルボタンを操作して、表示画面に表示されている項目などにカーソルＣを重ねることを、単に「選択する」と表記することがある。また項目などが選択されている状態で、リモコン２２の決定ボタンを押圧することを、単に「決定する」と表記することがある。
【００６０】
表示装置２１に図２に示すアプリメニューＭ１が表示されているとき、利用者が、テレビＨ１を選択して決定すると、中央制御部１１は、現在、画像入出力部２によって選択されているチャンネルに対応する放送局２０から提供されているコンテンツを表示装置２１の表示画面全体に表示するように画像入出力部２を制御する。これによって表示装置２１の表示画面全体に、前記コンテンツが表示される。
【００６１】
表示装置２１に図２に示すアプリメニューＭ１が表示されているとき、利用者が、インターネットＨ６を選択して決定すると、中央制御部１１は、インターネット２５を介して接続されるコンテンツサーバが蓄積しているウェブコンテンツを取得するように通信部９を制御する。また中央制御部１１は、取得したウェブコンテンツを表示装置２１に表示するように画像入出力部２を制御する。これによって表示装置２１に前記ウェブコンテンツが表示される。
【００６２】
表示装置２１に図２に示すアプリメニューＭ１が表示されているとき、利用者が、フォトアルバムＨ７を選択して決定すると、中央制御部１１は、プログラムメモリ５に記憶されているフォトアルバム制御プログラム５ｇを実行して、記録部４およびメモリカード接続部１０に装着されているメモリカードが記録および記憶しているフォトデータを、表示装置２１、第１ＰＣ２４、第２ＰＣ２６および携帯電話装置２８に表示するためのフォトアルバムデータを生成する。これによって表示装置２１ならびに第１ＰＣ２４、第２ＰＣ２６および携帯電話装置２８の表示部（図示せず）にフォトアルバムデータを表示することができる。
【００６３】
表示装置２１に図２に示すアプリメニューＭ１が表示されているとき、利用者が、設定Ｈ８を選択して決定すると、中央制御部１１は、各種設定メニューを表示装置２１に表示するように画像入出力部２を制御する。これによって表示装置２１に前記設定メニューが表示される。
【００６４】
図３は、表示装置２１に表示されるチャンネル別番組表Ｍ２を示す図である。表示装置２１に図２に示すアプリメニューＭ１が表示されているとき、利用者が番組表Ｈ２を選択して決定すると、中央制御部１１は、ＥＰＧ表示プログラム５ｉを実行して、チャンネル別番組表Ｍ２を表示装置２１に表示するように画像入出力部２を制御する。これによって図３に示すようなチャンネル別番組表Ｍ２が表示装置２１に表示される。
【００６５】
チャンネル別番組表Ｍ２は、ステータス表示領域Ａ１、項目説明表示領域Ａ３、コンテンツ表示領域Ａ４、操作説明表示領域Ａ５および番組表表示領域Ａ６を有する。ステータス表示領域Ａ１、項目説明表示領域Ａ３、コンテンツ表示領域Ａ４および操作説明表示領域Ａ５は、前述の図２に示すアプリメニューＭ１と同様であるので、同一の参照符号を付して詳細な説明は省略する。番組表表示領域Ａ６は、表示画面において中央部右寄りに配置される。番組表表示領域Ａ６には、現在選択されているチャンネルの名称が表示される。また番組表表示領域Ａ６には、前記チャンネルで提供されるコンテンツの提供時間枠およびタイトルが上下方向に時系列順に並ぶ一覧表形式の番組表が表示される。また番組表表示領域Ａ６において、所定の方法で設定されるおすすめ度の高いコンテンツには、おすすめマークＥ１が付加されて表示される。
【００６６】
表示装置２１に図３に示すチャンネル別番組表Ｍ２が表示されているとき、利用者は、リモコン２２のカーソルボタンを操作することによって、表示されているカーソルＣを上下に移動することができる。利用者は、リモコン２２を操作して、番組表表示領域Ａ６に表示されているコンテンツのタイトルを選択すると、項目説明表示領域Ａ３には、選択されたコンテンツに対応するインデックスが表示される。利用者がリモコン２２のカーソルボタンを操作することによって、番組表表示領域Ａ６に他のチャンネルで提供されるコンテンツの番組表を表示することができる。また利用者がリモコン２２のカーソルボタンを操作することによって、他の提供時間枠に提供されるコンテンツの番組表を表示することができる。
【００６７】
図４は、表示装置２１に表示される番組ナビＭ３を示す図である。表示装置２１に図２に示すアプリメニューＭ１が表示されているとき、利用者が番組ナビＨ３を選択して決定すると、中央制御部１１は、ＥＰＧ表示プログラム５ｉを実行して、番組ナビＭ３を表示装置２１に表示するように画像入出力部２を制御する。これによって図４に示すような番組ナビＭ３が表示装置２１に表示される。
【００６８】
番組ナビＭ３は、ステータス表示領域Ａ１、項目説明表示領域Ａ３、コンテンツ表示領域Ａ４、操作説明表示領域Ａ５およびおすすめ番組表表示領域Ａ７を有する。ステータス表示領域Ａ１、項目説明表示領域Ａ３、コンテンツ表示領域Ａ４および操作説明表示領域Ａ５は、前述の図３に示すチャンネル別番組表Ｍ２と同様であるので、同一の参照符号を付して詳細な説明は省略する。おすすめ番組表表示領域Ａ７は、表示画面において中央部右寄りに配置される。おすすめ番組表表示領域Ａ７には、予め設定されるおすすめコンテンツの提供時間枠およびタイトルが上下方向に時系列順に並ぶ一覧表形式の番組表が表示される。またおすすめ番組表表示領域Ａ７において、コンテンツには、おすすめ度に応じて、おすすめマークＥ１が付加されて表示される。前記おすすめコンテンツは、中央制御部１１によって、データメモリ６の嗜好データ記憶部６ｄに記憶されている嗜好データに基づいて、ＥＰＧデータ記憶部６ｂに記憶されているＥＰＧから抽出された、前記嗜好データを含むインデックスに対応するコンテンツである。
【００６９】
表示装置２１に図４に示す番組ナビＭ３が表示されているとき、利用者は、リモコン２２のカーソルボタンを操作することによって、表示されているカーソルＣを上下に移動することができる。利用者は、リモコン２２を操作して、おすすめ番組表表示領域Ａ７に表示されているおすすめコンテンツのタイトルを選択すると、項目説明表示領域Ａ３には、選択されたおすすめコンテンツに対応するインデックスが表示される。
【００７０】
図５は、表示装置２１に表示される記録一覧表Ｍ４を示す図である。表示装置２１に図２に示すアプリメニューＭ１が表示されているとき、利用者がビデオＨ４を選択して決定すると、中央制御部１１は、記録再生制御プログラム５ａを実行して、記録部４のインデックスデータ記録部４ｂに記憶されている情報を参照して記録一覧表Ｍ４を表示装置２１に表示するように画像入出力部２を制御する。これによって図５に示すような記録一覧表Ｍ４が表示装置２１に表示される。
【００７１】
記録一覧表Ｍ４は、ステータス表示領域Ａ１、コンテンツ表示領域Ａ４、操作説明表示領域Ａ５、記録一覧表示領域Ａ８および項目説明表示領域Ａ９を有する。ステータス表示領域Ａ１、項目説明表示領域Ａ９、コンテンツ表示領域Ａ４および操作説明表示領域Ａ５は、前述の図３に示すチャンネル別番組表Ｍ２と同様であるので、同一の参照符号を付して詳細な説明は省略する。記録一覧表示領域Ａ８は、表示画面において中央部に配置される。記録一覧表示領域Ａ８には、記録部４に記録されているコンテンツの提供時間枠およびタイトルが上下方向に時系列順に並ぶ一覧表形式の記録一覧表が表示される。また記録一覧表示領域Ａ８において、現在記録中のコンテンツには、現在記録中であることを表す記録中マークＥ２が付加されて表示される。また記録一覧表示領域Ａ８において、削除禁止設定されているコンテンツには、記録部４からの削除を禁止されていることを表す削除禁止マークＥ３が付加されて表示される。また記録一覧表示領域Ａ８において、記録部４に記録されてから利用者がまだ一度も再生していないコンテンツには、未再生を表すＮＥＷマークＥ７が付加されて表示される。また記録一覧表示領域Ａ８において、上書き設定されているコンテンツには、記録部４に記録されている同一タイトルのコンテンツに上書きして記録することを表す上書きマークＥ４が付加されて表示される。
【００７２】
表示装置２１に図５に示す記録一覧表Ｍ４が表示されているとき、利用者は、リモコン２２のカーソルボタンを操作することによって、表示されているカーソルＣを上下に移動することができる。利用者は、リモコン２２を操作して、記録一覧表示領域Ａ８に表示されているコンテンツのタイトルを選択して決定すると、決定されたコンテンツが再生されて、表示装置２１に前記コンテンツが表示される。一度でも再生されたコンテンツに対しては、前記ＮＥＷマークＥ７が取り除かれる。
【００７３】
図６は、表示装置２１に表示される予約方法選択メニューＭ５を示す図である。表示装置２１に図２に示すアプリメニューＭ１が表示されているとき、利用者が番組ナビＨ３を選択して決定すると、中央制御部１１は、記録予約制御プログラム５ｄを実行して、予約方法選択メニューＭ５を表示装置２１に表示するように画像入出力部２を制御する。これによって図６に示すような予約方法選択メニューＭ５が表示装置２１に表示される。
【００７４】
予約方法選択メニューＭ５は、ステータス表示領域Ａ１、操作説明表示領域Ａ５および選択肢表示領域Ａ１０を含んで構成される。ステータス表示領域Ａ１および操作説明表示領域Ａ５は、前述の図３に示すチャンネル別番組表Ｍ２と同様であるので、同一の参照符号を付して詳細な説明は省略する。選択肢表示領域Ａ１０は、表示画面において中央部に配置される。選択肢表示領域Ａ１０には、コンテンツの録画を予約する方法である番組表から予約Ｙ１、番組ナビから予約Ｙ２、マニュアル予約Ｙ３およびキーワード予約Ｙ４ならびに予約した内容を確認するための予約確認Ｙ５の選択肢が表示される。
【００７５】
表示装置２１の表示画面に図６に示す予約方法選択メニューＭ５が表示されているとき、利用者は、リモコン２２のカーソルボタンを操作することによって、表示されているカーソルＣを上下に移動させることができる。利用者は、リモコン２２を操作して、選択肢表示領域Ａ１０に表示されている各選択肢Ｙ１〜Ｙ５のいずれか１つを選択して決定することができる。このように選択肢が決定されると、決定された選択肢に対応するメニューが表示される。
【００７６】
図７は、記録予約における概略的な手順および表示されるメニューを示す図である。表示装置２１に、図６に示す予約方法選択メニューＭ５が表示されているとき、利用者が、番組表から予約Ｙ１を選択して決定すると、中央制御部１１は、記録予約制御プログラム５ｄを実行して、チャンネル別番組表Ｍ３を表示装置２１に表示するように画像入出力部２を制御する。これによって図３に示すチャンネル別番組表Ｍ３が表示装置２１に表示される。チャンネル別番組表Ｍ３が表示されているとき、利用者が記録予約したいコンテンツを選択して決定すると、決定したコンテンツの記録予約が登録される。表示装置２１に図６に示す予約方法選択メニューＭ５が表示されているとき、利用者が、番組ナビから予約Ｙ２を選択して決定すると、図４に示す番組ナビＭ３が表示される。番組ナビＭ３が表示されている状態で、利用者が記録予約したいコンテンツを選択して決定すると、決定したコンテンツの記録予約が登録される。
【００７７】
図８は、表示装置２１に表示される手動予約登録メニューＭ６を示す図である。表示装置２１に図６に示す予約方法選択メニューＭ５が表示されているとき、利用者が、マニュアル予約Ｙ３を選択して決定すると、中央制御部１１は、記録予約制御プログラム５ｄを実行して、手動予約登録メニューＭ６を表示装置２１に表示するように画像入出力部２を制御する。これによって図８に示す手動予約登録メニューＭ６が表示装置２１に表示される。手動予約登録メニューＭ６は、ステータス表示領域Ａ１、操作説明表示領域Ａ５および入力フォーム表示領域Ａ１１を有する。ステータス表示領域Ａ１および操作説明表示領域Ａ５は、前述の図３に示すチャンネル別番組表Ｍ２と同様であるので、同一の参照符号を付して詳細な説明は省略する。入力フォーム表示領域Ａ１１は、表示画面において中央部に配置される。入力フォーム表示領域Ａ１１には、コンテンツのタイトルである番組名と、コンテンツの記録を開始する記録開始日時と、コンテンツの記録を終了する記録終了日時と、コンテンツが提供されるチャンネルを選択する選局と、記録の種類と、記録の画質と、符号化方式の変換とを個々に入力するための入力ボックスが表示される。また入力フォーム表示領域Ａ１１には、「登録」ボタンＢ１および「戻る」ボタンＢ２が表示される。
【００７８】
表示装置２１に図８に示す手動予約登録メニューＭ６が表示されているとき、利用者は、リモコン２２のカーソルボタンを操作することによって、表示されているカーソルＣを上下左右に移動することができる。利用者は、リモコン２２を操作して、入力フォーム表示領域Ａ１１に表示されている入力ボックスを順番に選択しながら、選択した入力ボックスにコンテンツのタイトル、記録開始日時、記録終了日時、コンテンツが提供されるチャンネル、記録の種類、記録の画質、および符号化方式の変換を入力していく。全ての入力ボックスへの入力が完了し、入力した内容に基づいて予約録画を登録する場合には、利用者は、リモコン２２を操作して、入力フォーム表示領域Ａ１１に表示されている「登録」ボタンＢ１を選択して決定する。これによって入力されたコンテンツが予約録画の登録がなされて、入力された内容が予約情報として、データメモリ６の記録再生予約データ記録部６ａに記憶される。
【００７９】
利用者が、リモコン２２を操作して、入力フォーム表示領域Ａ１１に表示されている「戻る」ボタンＢ２を選択して決定すると、表示装置２１に予約方法選択メニューＭ５が表示される。
【００８０】
図９は、表示装置２１に表示されるキーワード一覧表Ｍ７を示す図である。表示装置２１に図６に示す予約方法選択メニューＭ５が表示されているとき、利用者が、キーワード予約Ｙ４を選択して決定すると、中央制御部１１は、キーワード予約制御プログラム５ｅを実行して、キーワード一覧表Ｍ７を表示装置２１に表示するように画像入出力部２を制御する。これによって図９に示すキーワード一覧表Ｍ７が表示装置２１に表示される。キーワード一覧表Ｍ７は、ステータス表示領域Ａ１、操作説明表示領域Ａ５およびキーワード一覧表示領域Ａ１２を有する。ステータス表示領域Ａ１および操作説明表示領域Ａ５は、前述の図３に示すチャンネル別番組表Ｍ２と同様であるので、同一の参照符号を付して詳細な説明は省略する。
【００８１】
キーワード一覧表示領域Ａ１２は、表示画面において中央部に配置される。キーワード一覧表示領域Ａ１２には、予め設定されデータメモリ６のキーワードデータ記憶部６ｃに記憶されている嗜好キーワードが、前記嗜好キーワードに対応するジャンルと、前記嗜好キーワードを含むインデックスに対応するコンテンツの記録予約の設定状態と、現在データメモリ６のＥＰＧデータ記憶部６ｂに記憶されているＥＰＧにおける前記嗜好キーワードを含むインデックスに対応するコンテンツの個数とともに、一覧表形式で表示される。
【００８２】
表示装置２１の表示画面に図９に示すキーワード一覧表Ｍ７が表示されているとき、利用者は、リモコン２２のカーソルボタンを操作することによって、表示されているカーソルＣを上下に移動させることができる。
【００８３】
図１０は、表示装置２１に表示されるキーワード編集メニューＭ８を示す図である。表示装置２１に図９に示すキーワード一覧表Ｍ７が表示されているとき、利用者が、リモコン２２を操作して、所望のキーワードを選択して決定すると、中央制御部１１は、キーワード予約制御プログラム５ｅを実行して、キーワード編集メニューＭ８を表示装置２１に表示するように画像入出力部２を制御する。これによって図１０に示すようなキーワード編集メニューＭ８が表示装置２１に表示される。キーワード編集メニューＭ８は、ステータス表示領域Ａ１、操作説明表示領域Ａ５およびキーワード編集領域Ａ１３を有する。ステータス表示領域Ａ１および操作説明表示領域Ａ５は、前述の図３に示すチャンネル別番組表Ｍ２と同様であるので、同一の参照符号を付して詳細な説明は省略する。
【００８４】
キーワード編集領域Ａ１３は、表示画面において中央部に配置される。キーワード編集領域Ａ１３には、登録および編集するキーワード、前記キーワードに対応するジャンルおよび前記キーワードに対してどのような処理をするかを示すアクションを入力するための入力ボックスが表示される。またキーワード編集領域Ａ１３には、「消去」ボタンＢ３、「登録」ボタンＢ４および「戻る」ボタンＢ５が表示される。
【００８５】
表示装置２１に図１０に示すキーワード編集メニューＭ８が表示されているとき、利用者は、リモコン２２のカーソルボタンを操作することによって、表示されているカーソルＣを上下左右に移動させることができる。利用者は、リモコン２２を操作して、キーワード編集領域Ａ１３に表示されている入力ボックスを順番に選択しながら、選択した入力ボックスに嗜好キーワード、前記嗜好キーワードに対応するジャンル、および前記嗜好キーワードを含むインデックスに対応するコンテンツに対する処理を入力していく。全ての入力ボックスへの入力が完了し、入力した内容に基づいて嗜好キーワードを登録する場合、利用者は、リモコン２２を操作して、キーワード編集領域Ａ１３に表示されている「登録」ボタンＢ４を選択して決定する。これによって嗜好キーワードが登録されて、データメモリ６のキーワードデータ記憶部６ｃに記憶される。
【００８６】
利用者がリモコン２２を操作して、前記入力ボックスを選択して決定すると、前記入力ボックスに、たとえば「｜」のような文字入力用カーソルが表示される。このとき、表示装置２１の表示画面の下部に、文字入力のために一時的に文字を表示するための文字入力領域が表示される。利用者は、リモコン２２に設けられる数字ボタンなどを押圧することによって、前記ボタンに予め割り当てられている文字を入力したり、漢字変換したりすることができる。所望の文字が文字入力領域に表示され、利用者がリモコン２２の決定ボタンを押圧すると、文字入力領域に表示されていた文字が、前記入力ボックスに表示される。入力ボックスへの文字入力が終了すると、利用者がリモコン２２の決定ボタンを押圧することで、カーソルＣの移動が可能になる。
【００８７】
また登録されている嗜好キーワードを消去する場合、利用者は、リモコン２２を操作して、消去したい嗜好キーワードを入力ボックスに入力して、キーワード編集領域Ａ１３に表示されている「消去」ボタンＢ３を選択して決定する。これによって入力ボックスに入力した嗜好キーワードが、データメモリ６のキーワードデータ記憶部６ｃから消去される。利用者は、リモコン２２を操作して、キーワード編集領域Ａ１３に表示されている「戻る」ボタンＢ５を選択して決定すると、表示装置２１にキーワード一覧表Ｍ７が表示される。
【００８８】
図１１は、表示装置２１に表示される予約確認メニューＭ９を示す図である。表示装置２１に図６に示す予約方法選択メニューＭ５が表示されているとき、利用者が、予約確認Ｙ５を選択して決定すると、中央制御部１１は、記録予約制御プログラム５ｄを実行して、予約確認メニューＭ９を表示装置２１に表示するように画像入出力部２を制御する。これによって図１１に示す予約確認メニューＭ９が表示装置２１に表示される。予約確認メニューＭ９は、ステータス表示領域Ａ１、操作説明表示領域Ａ５、予約一覧表示領域Ａ１４および予約情報表示領域Ａ１５を有する。ステータス表示領域Ａ１および操作説明表示領域Ａ５は、前述の図３に示すチャンネル別番組表Ｍ２と同様であるので、同一の参照符号を付して詳細な説明は省略する。
【００８９】
予約一覧表示領域Ａ１４は、表示画面において中央部上寄りに配置される。予約一覧表示領域Ａ１４には、データメモリ６の記録再生予約データ記憶部６ａに記憶されている予約情報に含まれる、記録予約されているコンテンツのタイトルおよび記録開始日時が、記録開始日時順に並んで、一覧表形式で表示される。また予約一覧表示領域Ａ１４において、現在記録中のコンテンツには、現在記録中であることを表す記録中マークＥ２が付加されて表示される。また予約一覧表示領域Ａ１４において、キーワード予約されたコンテンツには、キーワード予約による記録予約であることを表すキーワード予約マークＥ５が付加されて表示される。また予約一覧表示領域Ａ１４において、おすすめ予約されたコンテンツには、おすすめ予約による記録予約であることを表すおすすめ予約マークＥ６が付加されて表示される。
【００９０】
予約情報表示領域Ａ１５は、表示画面において予約一覧表示領域Ａ１４の下方に配置される。予約一覧表示領域Ａ１４には、データメモリ６の記録再生予約データ記憶部６ａに記憶されている予約情報に含まれる、記録予約されているコンテンツに対応するインデックスが表示される。
【００９１】
表示装置２１に図１１に示す予約確認メニューＭ９が表示されているとき、利用者は、リモコン２２のカーソルボタンを操作することによって、表示されているカーソルＣを上下に移動させることができる。図１１に示す予約確認メニューＭ９が表示されているとき、利用者は、リモコン２２を操作して、所望のコンテンツのタイトルを選択すると、予約情報表示領域Ａ１５には、選択されたコンテンツに対応するインデックスが表示される。また図１１に示す予約確認メニューＭ９が表示されているとき、利用者は、リモコン２２を操作して、所望のコンテンツのタイトルを選択して決定する。これによって表示装置２１には、図８に示すような手動予約登録メニューＭ６が表示される。
【００９２】
利用者が、リモコン２２に設けられる機能ボタンを押圧すると、表示装置２１に機能メニューが表示される（図示せず）。この機能メニューには、「予約内容の変更」ボタン、「番組内容を表示」ボタン、「ＷＥＢ検索」ボタン、「予約取消」ボタンおよび「キーワード予約」ボタンが、上から順に並んで表示される。利用者は、リモコン２２のカーソルボタンを操作することによって、表示されているカーソルを上下に移動させることができる。
【００９３】
利用者が機能メニューの「予約内容の変更」ボタンを選択して決定すると、表示装置２１に図８に示す手動予約登録メニューＭ６が表示される。表示装置２１に、たとえば図４に示す番組ナビＭ３が表示されていて、あるコンテンツが選択されているときに、利用者が機能ボタンを押圧して「番組内容を表示」ボタンを選択して決定すると、表示装置２１に、前記コンテンツに対応するインデックスが、たとえばダイアログの態様で表示される。表示装置２１に、たとえば図１１に示す予約確認メニューＭ９が表示されていて、あるコンテンツが選択されているときに、利用者が機能ボタンを押圧して「ＷＥＢ検索」ボタンを選択して決定すると、前記コンテンツのタイトルなどを検索条件として、インターネットの検索サイトにおいて、前記コンテンツに関連する情報が検索され、その検索結果が表示装置２１に表示される。
【００９４】
表示装置２１に、たとえば図１１に示す予約確認メニューＭ９が表示されていて、あるコンテンツが選択されているときに、利用者が機能ボタンを押圧して、「予約取消」ボタンを選択して決定すると、表示装置２１に「予約を消去しますか？」というダイアログが表示される。利用者が前記ダイアログ中の「はい」ボタンを選択して決定すると、前記コンテンツの記録予約が削除される。
【００９５】
利用者が機能メニューの「キーワード予約」ボタンを選択して決定すると、表示装置２１に図９に示すキーワード一覧表Ｍ７が表示される。
【００９６】
図１２は、記録予約が重複したときに表示装置２１に表示される予約重複確認メニューＭ１０を示す図である。コンテンツの記録予約が登録されると、中央制御部１１は、記録予約制御プログラム５ｄを実行して、データメモリ６の記録再生予約データ記憶部６ａに記憶されている予約情報に基づいて、登録されたコンテンツの提供時間枠が他の登録されているコンテンツの提供時間枠に重複しているか否かを判断する。中央制御部１１が、登録されたコンテンツの提供時間枠と他の登録されているコンテンツの提供時間枠とが重複していると判断すると、中央制御部１１は、予約重複確認メニューＭ１０を表示するように画像入出力部２を制御する。これによって表示装置２１に、図１２に示すような予約重複確認メニューＭ１０が表示される。
【００９７】
予約重複確認メニューＭ１０は、ステータス表示領域Ａ１、操作説明表示領域Ａ５および重複コンテンツ表示領域Ａ１６を有する。ステータス表示領域Ａ１および操作説明表示領域Ａ５は、前述の図３に示すチャンネル別番組表Ｍ２と同様であるので、同一の参照符号を付して詳細な説明は省略する。重複コンテンツ表示領域Ａ１６は、表示画面において中央部に配置される。重複コンテンツ表示領域Ａ１６には、記録予約されているけれども、提供時間枠が重複している複数のコンテンツの提供時間枠およびタイトルなどを含む予約情報が、一覧表形式で表示される。また重複コンテンツ表示領域Ａ１６には、「する」ボタンＢ６および「しない」ボタンＢ７が、前記予約情報の下方に表示される。
【００９８】
表示装置２１に図１２に示す予約重複確認メニューＭ１０が表示されているとき、利用者は、リモコン２２のカーソルボタンを操作することによって、表示されているカーソルＣを左右に移動させることができる。利用者は、リモコン２２を操作して、予約重複確認メニューＭ１０に表示されている「する」ボタンＢ６を選択して決定すると、提供時間枠が重複している複数のコンテンツの記録予約を登録することができる。このとき提供時間枠が重複している複数のコンテンツのうち、所定の方法で設定される優先度の高いコンテンツに対して、記録予約が実行される。また利用者は、リモコン２２を操作して、予約重複確認メニューＭ１０に表示されている「しない」ボタンＢ７を選択して決定すると、提供時間枠が重複している複数のコンテンツの記録予約の登録を解除することができる。
【００９９】
図１３は、記録部４に記録予約されるコンテンツを記録可能な記憶容量が無いときに表示装置２１に表示される容量不足確認メニューＭ１１を示す図である。コンテンツの記録予約が登録されると、中央制御部１１は、記録予約制御プログラム５ｄを実行して、データメモリ６の記録再生予約データ記憶部６ａに記憶されている予約情報と、記録部４とに基づいて、記録予約が登録されるコンテンツを記録部４に記録可能であるか否かを判断する。中央制御部１１が、記録部４には前記コンテンツを記録不可能であると判断すると、中央制御部１１は、容量不足確認メニューＭ１１を表示するように画像入出力部２を制御する。これによって表示装置２１に、図１３に示すような容量不足確認メニューＭ１１が表示される。
【０１００】
容量不足確認メニューＭ１１は、ステータス表示領域Ａ１、操作説明表示領域Ａ５および記録時間表示領域Ａ１７を有する。ステータス表示領域Ａ１および操作説明表示領域Ａ５は、前述の図３に示すチャンネル別番組表Ｍ２と同様であるので、同一の参照符号を付して詳細な説明は省略する。記録時間表示領域Ａ１７は、表示画面において中央部に配置される。記録時間表示領域Ａ１７には、記録予約されコンテンツを記録するのに必要な時間と、記録部４が記録可能な記録時間とが表示される。また記録時間表示領域Ａ１７には、「する」ボタンＢ８および「しない」ボタンＢ９が、前記予約情報の下方に表示される。
【０１０１】
表示装置２１に図１３に示す容量不足確認メニューＭ１１が表示されているとき、利用者は、リモコン２２のカーソルボタンを操作することによって、表示されているカーソルＣを左右に移動させることができる。利用者は、リモコン２２を操作して、容量不足確認メニューＭ１１に表示されている「する」ボタンＢ８を選択して決定すると、コンテンツの記録予約を登録することができる。また利用者は、リモコン２２を操作して、容量不足確認メニューＭ１１に表示されている「しない」ボタンＢ９を選択して決定すると、前記コンテンツの記録予約の登録を解除することができる。
【０１０２】
本実施の形態において、提供元は放送局２０であり、情報取得出力装置は、画像記録再生装置１であり、取得手段は、画像入出力部２であり、取得部は、アナログテレビチューナ２ａであり、出力手段は、画像入出力部２、記録部４および通信部９であり、入力手段は、リモコン２２および通信部９であり、制御手段およびデータ生成手段は中央制御部１１であり、通信手段は通信部９であり、他の装置は、第１ＰＣ２４および第２ＰＣ２６であり、出力先は、表示装置２１、記憶部４、第１ＰＣ２４および第２ＰＣ２６である。また提供予定情報は、電子番組案内（略称：ＥＰＧ）である。
【０１０３】
前述の画像記録再生装置１は、放送局２０からのコンテンツを取得して、取得したコンテンツを、出力先である第１ＰＣ２４、第２ＰＣ２６、表示装置２１および記録部４に与える。
【０１０４】
図１４は、画像入出力部２によって取得したコンテンツを、出力先の１つである第１ＰＣ２４に与える中央制御部１１の手順を示すフローチャートである。画像入出力部２によって取得したコンテンツを第１ＰＣ２４に与える手順は、中央制御部１１がプログラムメモリ５に記憶されている記録再生制御プログラム５ａを実行することによって行われる。
【０１０５】
中央制御部１１は、記録再生制御プログラム５ａを実行することによって、指示入力部７または通信部９からの、出力先にコンテンツを出力する出力要請を示す入力命令に従って、画像入出力部２によって取得したコンテンツを第１ＰＣ２４に与えるように、画像入出力部２および通信部９を制御する。
【０１０６】
図１４では、画像入出力部２によって取得したコンテンツを、第１ＰＣ２４に与える中央制御部１１の基本的な手順を示す。したがって、図１４に示すフォローチャートの開始条件については、たとえば出力先にコンテンツを出力する出力要請を示す入力命令が指示入力部７または通信部９から入力されたと中央制御部１１が判断したときとする。図１４に示すフローチャートの開始条件についての詳細な説明は後述する。
【０１０７】
第１ＰＣ２４にコンテンツを出力する出力要請を示す入力命令が指示入力部７または通信部９から入力されたと中央制御部１１が判断したとき、ステップａ０で、第１ＰＣ２４にコンテンツを与える中央制御部１１の手順が開始されて、ステップａ１に進む。以後、出力要請を示す入力命令を、単に「出力要請」と表記することがある。
【０１０８】
ステップａ１では、中央制御部１１は、コンテンツを出力する出力要請に基づいて、放送局２０からの選択されるチャンネルに対応する搬送波周波数のアナログテレビジョン放送電波を、アンテナ２ｆを介して受信するようにアナログテレビチューナ２ａを制御して、ステップａ２に進む。アナログチューナ２ａは、受信したアナログテレビジョン放送に含まれ、コンテンツを表すアナログコンテンツ信号を抽出する検波を行い、抽出したアナログコンテンツ信号をＡＤコンバータ２ｂに与える。
【０１０９】
ステップａ２では、中央制御部１１は、アナログチューナ２ａから与えられるアナログコンテンツ信号をデジタルコンテンツ信号に変換するようにＡＤコンバータ２ｂを制御して、ステップａ３に進む。ＡＤコンバータ２ｂは、アナログコンテンツ信号をデジタルコンテンツ信号に変換した後、このデジタルコンテンツ信号をＭＰＥＧ２エンコーダ２ｃに与える。ＡＤコンバータ２ｂでは、コンテンツに含まれる動画像および音声別にデジタルコンテンツ信号に変換する。
【０１１０】
ステップａ３では、中央制御部１１は、ＭＰＥＧ２規格に基づいて、デジタルコンテンツ信号を符号化して、符号化コンテンツ信号を生成するようにＭＰＥＧ２エンコーダ２ｃを制御して、ステップａ４に進む。ＭＰＥＧ２エンコーダ２ｃは、符号化コンテンツ信号を中央制御部１１に与える。
【０１１１】
ステップａ４では、中央制御部１１は、外部のＬＡＮ２３を介してステップａ３で生成された符号化コンテンツ信号を出力先である第１ＰＣ２４に与えるように通信部９を制御して、ステップａ５に進む。
【０１１２】
ステップａ５では、中央制御部１１は、第１ＰＣ２４にコンテンツを出力する出力要請の終了を示す入力命令、言い換えれば画像入出力部２でのコンテンツの取得を終了する終了指示が指示入力部７または通信部９から入力されているか否かを判断する。ステップａ５において、中央制御部１１が利用者の入力操作に基づいて、指示入力部７および通信部９の少なくともいずれか一方から利用者の入力操作によって、終了指示が入力されたと判断した場合には、ステップａ６に進み、中央制御部１１は、コンテンツの取得を停止するように画像入出力部２を制御して、全ての手順を終了する。
【０１１３】
一方、ステップａ５において、中央制御部１１が、利用者の入力操作に基づいて、指示入力部７および通信部９の少なくともいずれか一方から利用者の入力操作によって、終了指示が入力されていないと判断した場合には、ステップａ１に移り、ステップａ１〜ステップａ５までの各手順を繰返し実行する。
【０１１４】
画像入出力部２によって取得したコンテンツを、出力先の１つである第２ＰＣ２６にインターネット２５を介して与える中央制御部１１の手順については、図１４に示すフローチャートの手順と同様であるので、説明を省略する。
【０１１５】
画像入出力部２によって取得したコンテンツを、出力先の１つである表示装置２１に与える中央制御部１１の手順は、たとえば表示装置２１にコンテンツを出力する出力要請を示す入力命令が指示入力部７または通信部９から入力されたと中央制御部１１が判断したとき開始される。この場合、中央制御部１１は、コンテンツを出力する出力要請に基づいて、放送局２０からの選択されるチャンネルに対応する搬送波周波数のアナログテレビジョン放送電波を、アンテナ２ｆを介して受信するようにアナログテレビチューナ２ａを制御して、受信したコンテンツを表示装置２１に出力するように画像入出力部２を制御する。そして、図１４に示すフローチャートのステップａ５と同様に、中央制御部１１は、表示装置２１にコンテンツを出力する出力要請の終了を示す入力命令が指示入力部７または通信部９から入力されているか否かを判断して、画像入出力部２を制御する。画像入出力部２によって取得したコンテンツを、出力先の１つである表示装置２１に与える中央制御部１１の手順の開始条件の、詳細な説明は後述する。
【０１１６】
画像入出力部２によって取得したコンテンツを、出力先の１つである記録部４に与える中央処理装置１１の手順は、たとえば記録部４にコンテンツを出力する出力要請を示す入力命令が指示入力部７または通信部９から入力されたと中央制御部１１が判断したとき開始される。この場合、中央制御部１１は、図１４に示すフローチャートのステップａ１〜ステップａ４までの各手順と同様な手順を実行した後、記録部４を制御して、この記録部４にコンテンツを与える。そして、図１４に示すフローチャートのステップａ５と同様に、中央制御部１１は、記録部４にコンテンツを出力する出力要請の終了を示す入力命令が指示入力部７または通信部９から入力されているか否かを判断して、画像入出力部２を制御する。画像入出力部２によって取得したコンテンツを、出力先の１つである表示装置２１に与える中央制御部１１の手順の開始条件の、詳細な説明は後述する。
【０１１７】
記録部４は、コンテンツが与えられる出力先の１つであり、かつ出力先にコンテンツを与える出力手段の１つでもある。つまり記録部４は、具体的には、記録媒体自体と、この記録媒体自体に情報を書込みまたは読出す記録再生ヘッドを有しており、この記録媒体自体がコンテンツが与えられる出力先に対応し、記録再生ヘッドが出力先にコンテンツを与える出力手段に対応する。
【０１１８】
このように画像記録再生装置１は、この画像記録再生装置１に通信部９を介して通信可能に接続される第１ＰＣ２４および第２ＰＣ２６に、画像入出力部２によって取得したコンテンツを与えることができる。また、画像記録再生装置１は、表示装置２１および記録部４に画像入出力部２によって取得したコンテンツを与えることができる。
【０１１９】
第１ＰＣ２４は、ＤＡコンバータ２ｅと同様な第１ＰＣＤＡコンバータと、ＭＰＥＧ２デコーダ２ｄと同様な第１ＰＣＭＰＥＧ２デコーダと、通信部９と同様な第１ＰＣ通信部と、中央制御部１１と同様な第１ＰＣ制御部と、プログラムメモリ５と同様な第１ＰＣプログラムメモリと、表示装置２１と同様な第１ＰＣ表示装置と、指示入力部７と同様な第１ＰＣ指示入力部とを備える。第２ＰＣ２６の構成は、第１ＰＣ２４と同様である。
【０１２０】
図１５は、画像入出力部２によって取得したコンテンツを受取り、第１ＰＣ表示装置に表示させる第１ＰＣ制御部の手順を示すフローチャートである。図１５に示す画像入出力部２によって取得したコンテンツを受取り、第１ＰＣ表示装置に表示させる第１ＰＣ制御部の手順は、第１ＰＣ制御部が第１ＰＣプログラムメモリに記憶されているコンテンツを受取り、第１ＰＣ表示装置に表示させるための制御プログラムを実行することによって行われる。
【０１２１】
第１ＰＣ制御部は、コンテンツを受取り、第１ＰＣ表示装置に表示させるための制御プログラムを実行することによって、画像記録再生装置１の通信部９から与えられるコンテンツを第１ＰＣ表示装置に表示させるように、第１ＰＣ通信部、第１ＰＣ表示装置、第１ＰＣＤＡコンバータおよび第１ＰＣＭＰＥＧ２デコーダを制御する。
【０１２２】
通信部９からＬＡＮ２３を介してコンテンツが与えられたと第１ＰＣ制御部が判断したとき、ステップｂ０で、第１ＰＣ２４は、コンテンツを受取って、このコンテンツを表示する手順が開始されて、ステップｂ１に進む。
【０１２３】
ステップｂ１では、第１ＰＣ制御部は、通信部９からＬＡＮ２３を介して送信されるコンテンツを受信するように第１ＰＣ通信部を制御して、ステップｂ２に進む。受信したコンテンツは、符号化コンテンツ信号である。第１ＰＣ通信部は、受信した符号化コンテンツ信号を、第１ＰＣＭＰＥＧ２デコーダに与える。
【０１２４】
ステップｂ２では、第１ＰＣ制御部は、ＭＰＥＧ２規格で符号化される符号化コンテンツ信号を復号化するように第１ＰＣＭＰＥＧ２デコーダを制御して、ステップｂ３に進む。第１ＰＣＭＰＥＧ２デコーダは、符号化コンテンツ信号を復号化することによってデジタルコンテンツ信号を生成する。第１ＰＣＭＰＥＧ２デコーダは、第１ＰＣＤＡコンバータにデジタルコンテンツ信号を与える。
【０１２５】
ステップｂ３では、第１ＰＣ制御手段は、第１ＰＣＭＰＥＧ２デコーダによって生成されたデジタルコンテンツ信号をアナログコンテンツ信号に変換するＤＡ変換を行うように、第１ＰＣＤＡコンバータを制御して、ステップｂ４に進む。第１ＰＣＤＡコンバータは、デジタルコンテンツ信号をアナログコンテンツ信号に変換して、第１ＰＣ表示装置に与える。
【０１２６】
ステップｂ４では、第１ＰＣ制御部は、第１ＰＣＤＡコンバータから与えられるアナログコンテンツ信号に含まれる動画像を表示したり、音声を出力したりするように表示装置を制御して、ステップｂ５に進む。
【０１２７】
ステップｂ５では、第１ＰＣ制御部は、通信部９からＬＡＮ２３を介して送信される符号化コンテンツ信号の受信が終了したか否かを判断する。ステップｂ５において、第１ＰＣ制御部が、受信が終了したと判断した場合、ステップｂ６に進み、全ての手順を終了する。
【０１２８】
一方、ステップｂ５において、第１ＰＣ制御部が、通信部９からＬＡＮ２３を介して送信される符号化コンテンツ信号の受信が終了していないと判断した場合、ステップｂ１に移り、ステップｂ１〜ステップｂ５までの各手順を繰り返し実行する。
【０１２９】
画像入出力部２によって取得したコンテンツを受取って表示する第２ＰＣ２６の制御部の手順については、図１５に示すフローチャートの手順と同様であるので、説明を省略する。
【０１３０】
中央制御部１１は、記録再生制御プログラム５ａを実行することによって、出力先への出力要請に基づいて、画像入出力部２によって取得したコンテンツを、出力先である表示装置２１、記録部４、第１ＰＣ２４および第２ＰＣ２６のいずれか１つに与えているとき、チューナ２ａが取得するアナログテレビジョン放送電波を放送する放送局２０の変更、つまりチャンネル変更であって、かつ１つの出力先への出力要請よりも後から入力された他の出力先への出力要請に基づく変更を禁止するように画像入出力部２を制御する。
【０１３１】
たとえば、表示装置２１にコンテンツを出力する出力要請に基づいて、画像入出力部２によって取得したコンテンツを表示装置２１に与えているときに、表示装置２１に与えられているコンテンツを提供する放送局２０とは異なる他の放送局２０のコンテンツを第１ＰＣ２４、第２ＰＣ２６または記録部４に出力する出力要請が指示入力部７または通信部９から入力されたとしても、この第１ＰＣ２４、第２ＰＣ２６または記録部４への出力要請に基づいて、中央制御部１１は、画像入出力部２が取得するコンテンツを提供する放送局２０の選択を変更しないように画像入出力部２を制御する。
【０１３２】
したがって、異なる出力先である表示装置２１、記録部４、第１ＰＣ２４および第２ＰＣ２６にそれぞれ異なるコンテンツを出力する出力要請が指示入力部７または通信部９から入力された場合に、各出力先での、画像入出力部２が取得するコンテンツを提供する放送局２０の選択を変更するための競合を防止することができ、１つの出力先に画像入出力部２によって取得したコンテンツが与えられているときには、チャンネルの変更を禁止して、画像入出力部２が取得するコンテンツが不所望に他のコンテンツに変更されることを防止することができる。したがって、中央制御部１１は、画像入出力部２によって取得したコンテンツを出力先に安定して与えることができ、出力先では、所望のコンテンツを安定して得ることができる。
【０１３３】
このような制御を実現するために、中央制御部１１は、指示入力部７または通信部９から入力される出力先への出力要請に基づいて、先に入力された出力要請を優先させて、その出力要請の出力先の使用権として、アナログテレビチューナ２ａの使用権を設定し、この使用権に基づいて、画像入出力部２を制御する。以後、アナログテレビチューナを、単に「チューナ」と表記する場合がある。
【０１３４】
表１は、データメモリ２の記録再生予約データ記憶部６ａに記憶されているチューナ２ａの使用権の設定を表す使用権情報の一例を示す表である。
【０１３５】
【表１】
2004153730.tif 000003
【０１３６】
表１に示す使用権情報は、出力先、使用者名、使用権を含む。出力先は、チューナ２ａによって取得したコンテンツが出力される機器などを示す。第１ＰＣ２４は、複数のＰＣを含む。ここでは、便宜上第１ＰＣ２４の複数のＰＣをそれぞれ第１１ＰＣ、第１２ＰＣ、第１３ＰＣ、…と記す。また第２ＰＣ２６は、複数のＰＣを含んでもよい。使用者名は、各出力先が、個人が主として使用する機器である場合に、その機器を使用する使用者の名前を示す。使用権は、チューナ２ａの使用権が設定されているか、つまり対応する出力先への出力要請に基づいて、チューナ２ａによって放送局２０の選択の変更が可能であるか否かを示す。出力先にチューナ２ａの使用権が設定されている場合には、たとえば表１では、「１」を記し、使用権が設定されていない場合には、「０」を記している。画像記録再生装置１がチューナ２ａを１つ有する場合には、表示装置２１、第１ＰＣ２４、第２ＰＣ２６および記録部４のいずれか１つにチューナ２ａの使用権が設定される。
【０１３７】
中央制御部１１は、記録再生制御プログラム５ａを実行することによって、表１に示す使用権情報を生成し、データメモリ６の記録再生予約データ記憶部６ａに生成した使用権情報を記憶する。
【０１３８】
中央制御部１１は、記録再生制御プログラム５ａを実行することによって、表示装置２１、第１ＰＣ２４、第２ＰＣ２６または記録部４にコンテンツを出力する出力要請が指示入力部７または通信部９に入力されたときに、データメモリ６の記録再生予約データ記憶部６ａに記録される使用権情報を参照し、使用権が設定されていない出力先への出力要請であれば、チューナ２ａにおける放送局２０の選択の変更、つまり受信するチャンネルの変更を禁止するように画像入出力部２を制御する。
【０１３９】
また中央制御部１１は、表示装置２１、第１ＰＣ２４、第２ＰＣ２６または記録部４にコンテンツを出力する出力要請が指示入力部７または通信部９に入力されたときに、使用権が設定されている出力先の問い合わせを行う、つまり使用権が設定されている出力先の状態を取得するように通信部９などを制御することによって、表１に示される使用権情報を生成する。中央制御部１１は、出力要請が指示入力部７または通信部９に入力されない場合に、定期的な間隔、たとえば５分程度の間隔で、使用権が設定されている出力先の問い合わせを行うことによって、使用権情報を生成してもよい。
【０１４０】
中央制御部１１は、表２および表３に示す関係に基づいて、使用権情報を生成する。
【０１４１】
表２は、画像記録再生装置１の電源レベルと、動作内容と、チューナの使用状態との関係を示す表である。表２に示す画像記録再生装置１の電源レベルと、動作内容と、チューナの使用状態との関係は、データメモリ６に記憶される。
【０１４２】
【表２】
2004153730.tif 000004
【０１４３】
表２において電源レベルとは、画像記録再生装置１の電源の状態を表し、３段階に分けられる。レベル１は、画像記録再生装置１の電源が停止した状態に対応する。電源レベルがレベル１の場合、中央制御部１１は、動作しないため、チューナ２ａの使用状態を判断することができない。電源が停止した状態では、チューナ２ａを使用することはできないので、電源レベルがレベル１のとき、チューナ２ａは使用されていない状態である。
【０１４４】
レベル２は、画像記録再生装置１の電源は入っているが、画像入出力部２によってコンテンツを取得していない状態、つまり表示装置２１にコンテンツが与えられず、かつ記録部４にコンテンツが与えられていない状態に対応する。したがって、電源レベルがレベル２のときは、表示装置２１、または、記録部４により、チューナ２ａが使用されていない状態である。
【０１４５】
レベル３は、画像記録再生装置１の起動時であって、装置の全てが可動状態となり、表示装置２１に図２に示すアプリメニューＭ１が表示されている状態に対応する。アプリメニューＭ１のコンテンツ表示領域Ａ４には、現在選択されているチャンネルに対応する放送局２０から提供されているコンテンツが表示されるので、電源レベルがレベル３のときは、表示装置２１により、チューナ２ａが使用されている状態である。
【０１４６】
たとえば、表示装置２１に図２に示すアプリメニューＭ１が表示されている状態であって、画像記録再生装置１の電源レベルがレベル３の状態のときに、使用者がリモコン２２に設けられるアプリメニューＭ１を終了する使用終了ボタンを押圧すると、電源レベルはレベル３からレベル２に移行する。
【０１４７】
中央制御部１１は、表示装置２１または記録部４に使用権が設定されている場合に、表示装置２１、第１ＰＣ２４、第２ＰＣ２６または記録部４にコンテンツを出力する出力要請が指示入力部７または通信部９に入力されたときに、電源レベルを検出することによって、電源レベルとデータメモリ６に記憶されるチューナ２ａの使用状態との関係から、チューナ２ａの使用が可能であるか、つまり出力要請に基づいて出力先に使用権を設定することができるか否かを判断する。画像記録再生装置１の電源レベルがレベル３である場合には、中央制御部１１は、表示装置２１にチューナ２ａの使用権を設定して使用権情報を生成する。また画像記録再生装置１の電源レベルがレベル２である場合には、中央制御部１１は、出力要請に基づいて、チューナ２ａの使用権の設定を変更して使用権情報を生成する。
【０１４８】
表３は、画像記録再生装置１、第１ＰＣ２４および第２ＰＣ２６の少なくともいずれか１つにおいて使用されるプログラムと、チューナ２ａの使用状態との関係を示す表である。表３に示す画像記録再生装置１、第１ＰＣ２４および第２ＰＣ２６の少なくともいずれか１つにおいて使用されるプログラムと、チューナ２ａの使用状態との関係は、データメモリ６に記憶される。
【０１４９】
【表３】
2004153730.tif 000005
【０１５０】
表３においてプログラムは、画像記録再生装置１の中央制御部１１と、第１ＰＣ２４の制御部と、第２ＰＣ２６の制御部との少なくともいずれか１つにおいて実行されるプログラム名を表す。プログラムは、たとえば前述した記録再生制御プログラム５ａ、フォトアルバム制御プログラム５ｇなどである。モードは、各プログラム内モードを示す。たとえばプログラム２は、モード１とモード２との２つのモードを有している。チューナの使用状態は、プログラムおよびそのプログラム内モードに対応して、そのプログラムおよびプログラム内モードを各機器の中央制御部によって実行すると、チューナ２ａを使用するか否か、つまり中央制御部１１がコンテンツを取得するように画像入出力部２を制御するか否かを示す。
【０１５１】
中央制御部１１は、使用権情報を生成するときに、使用権が設定されている出力先が第１ＰＣ２４または第２ＰＣ２６である場合に、第１ＰＣ２４または第２ＰＣ２６において実行しているプログラムの種類およびそのプログラム内モードの種類を取得するように通信部９を制御する。また中央制御部１１は、使用権情報を生成するときに、使用権が設定されている出力先が表示装置２１または記録部４であれば、自己で実行しているプログラムの種類およびそのプログラム内モードの種類を取得する。
【０１５２】
中央制御部１１は、取得したプログラムの種類またはそのプログラム内モードの種類に基づいて、上述した表３に示すデータメモリ６に記憶されるプログラムとチューナの使用状態との関係を参照して、使用権情報を生成する。つまり、実行されているプログラムの種類およびそのプログラム内モードの種類がチューナ２ａを使用するものに対応していれば、中央制御部１１は、使用権の設定をそのままの状態として使用権情報を生成する。また使用権が設定されている出力先のプログラムの種類およびそのプログラム内モードの種類がチューナ２ａを使用しないものに対応していなければ、中央制御部１１は、出力要請に基づいて使用権の設定を変更して、使用権情報を生成する。
【０１５３】
指示入力部７または通信部９から、チューナ２ａの使用を終了する入力命令を入力すると、画像再生記録装置１の電源レベルはレベル２のままで、チューナ２ａが使用されてない状態となる。これによって、表示装置２１、第１ＰＣ２４、第２ＰＣ２６および記録部４のうちのいずれか１つに、チューナ２ａの使用権を設定可能な状態となる。このとき第１ＰＣ２４または第２ＰＣ２６において、チューナ２ａを使用するプログラムを実行した場合には、そのプログラムを実行した出力先に即時にチューナ２ａの使用権が設定される。また画像記録再生装置１において、チューナ２ａを使用するプログラムを実行した場合には、そのプログラムに応じて表示装置２１または記録部４にチューナ２ａの使用権が設定される。また、このとき第１ＰＣ２４または第２ＰＣ２６において、チューナ２ａを使用するプログラムを起動している場合には、使用権情報が生成されるときに、そのプログラムを起動している出力先にチューナ２ａの使用権が設定される。さらに、画像記録再生装置１において、チューナ２ａを使用するプログラムを起動している場合には、使用権情報が生成されるときに、表示装置２１または記録部４にチューナ２ａの使用権が設定される。
【０１５４】
チューナ２ａの使用権が設定される出力先が表示装置２１、記録部４、第１ＰＣ２４または第２ＰＣ２６である場合、中央制御部１１などで実行されているチューナ２ａを使用するプログラムを終了する、チューナ２ａを使用しないプログラムであるプログラム３、またはチューナ２を使用しないプログラム内モードであるプログラム２のモード２などに変更しても、画像記録再生装置１の電源レベルはレベル２のままである。これによって、表示装置２１、第１ＰＣ２４、第２ＰＣ２６および記録部４のうちのいずれか１つに、チューナ２ａの使用権を設定可能な状態となる。このとき第１ＰＣ２４または第２ＰＣ２６において、チューナ２ａを使用するプログラムを起動した場合には、そのプログラムを起動した出力先に即時にチューナ２ａの使用権が設定される。また画像記録再生装置１において、チューナ２ａを使用するプログラムを実行した場合には、そのプログラムに応じて表示装置２１または記録部４にチューナ２ａの使用権が設定される。また、このとき第１ＰＣ２４または第２ＰＣ２６において、チューナ２ａを使用するプログラムを起動している場合には、使用権情報が生成されるときに、そのプログラムを起動している出力先にチューナ２ａの使用権が設定される。さらに、画像記録再生装置１において、チューナ２ａを使用するプログラムを起動している場合には、使用権情報が生成されるときに、表示装置２１または記録部４にチューナ２ａの使用権が設定される。
【０１５５】
チューナ２ａの使用権が設定されていない出力先、たとえば第１ＰＣ２４および第２ＰＣ２６の制御部に、チューナ２ａを使用しない機能、たとえばプログラム２のモード２およびプログラム３などを実行させても、中央制御部１１は、起動されたプログラムおよびプログラム内モードがチューナ２ａを使用しないと判断するので、中央制御部１１による処理には影響を与えない。
【０１５６】
このように中央制御部１１は、入力される出力要請に基づいて、先に入力された出力要請を優先させて、その出力要請の出力先の使用権としてチューナ２ａの使用権を設定してデータメモリ６に記憶するので、データメモリ６に記憶される使用権情報を確認するだけで、画像入出力部２における放送局２０の選択の変更を禁止するか否かを容易に判定することができ、チューナ２ａにおける放送局２０の選択の変更を効率的に行うことができる。
【０１５７】
中央制御部１１は、指示入力部７または通信部９から出力要請が入力されたときに、既にチューナ２ａの使用権が設定されていて、この使用権が設定されている出力先とは別の出力先にチューナ２ａの使用権を設定することができない場合であって、その出力要請が既に使用権の設定されているチューナ２によって取得されるコンテンツを出力する場合では、その出力要請に基づいて、使用権を設定することができない出力先であっても、コンテンツを与えるように、少なくとも画像入出力部２を制御する。出力先が表示装置２１または記録部４である場合、画像入出力部２によって取得したコンテンツを表示装置２１与えるように中央制御部１１は、画像入出力部２を制御する。出力先が第１ＰＣ２４または第２ＰＣ２６である場合、前述した図１４に示す手順に従って、中央制御部１１は、第１ＰＣ２４または第２ＰＣ２６にコンテンツを送信するように画像入出力部２および通信部９を制御する。
【０１５８】
たとえば、表示装置２１にチューナ２ａの使用権が設定されている場合であって、通信部９に第１ＰＣ２４にコンテンツを出力する出力要請が入力された場合、第１ＰＣ２４にチューナの使用権は設定されないが、出力要請によって第１ＰＣ２４が取得しようとするコンテンツが、表示装置２１が取得するためにチューナ２ａによって受信しているコンテンツと同一の場合には、第１ＰＣ２４にコンテンツを出力する出力要請に基づいて、そのコンテンツを出力するように中央制御部１１は、画像入出力部２および通信部９を制御する。
【０１５９】
また中央制御部１１は、データメモリ６に記憶される使用権情報を参照して、チューナ２ａの使用権を有する出力先、または出力先に対応する使用者名を表示装置２１、第１ＰＣ２４が備える表示装置または第２ＰＣ２６が備える表示装置の表示画面に図表示するための表示データを生成する。
【０１６０】
図１６は、使用権が設定されていない出力先に出力されるコンテンツを表示させたときの表示画面３０を示す図である。表示画面３０には、コンテンツが表示され、表示画面３０の下部で右寄りには、前述した表示データに基づいてチューン２ａの使用権を有する使用者名を表す警告文３１が表示される。
【０１６１】
この表示画面３０に表示されているコンテンツとは、別のコンテンツを出力する出力要請が、指示入力部７または通信部９から入力された場合、つまり利用者がチャンネルを変更するように操作した場合には、前述したように中央制御部１１は、使用権情報を生成して、チューナ２ａの使用権の設定を変更することができるか否かを判断する。
【０１６２】
中央制御部１１が、チューナ２ａの使用権の設定を変更することができないと判断した場合には、チャンネルは変更しないで、引き続き、チューナ２ａの使用権が設定されている出力先に出力されるコンテンツと同じコンテンツを出力するように画像入出力部２を制御する。これによって、別のコンテンツを出力する出力要請のあった出力先では、図１６に示す表示画面３０が引続き表示される。
【０１６３】
このように中央制御手段１１は、複数の出力先の出力要請に基づいて、複数の出力先に画像入出力部２によって取得した同一のコンテンツを与えることができる。したがって、複数の出力先においては、同じコンテンツを得ることができるので、画像入出力部２によって取得したコンテンツの利用範囲が拡大する。
【０１６４】
さらに中央制御部１１は、プログラムメモリ５に記録される記録再生制御プログラム５ａを実行することによって、コンテンツを記録または視聴するためにチューナ２ａの使用権が設定される予約情報に基づいて、画像入出力部２を制御する。
【０１６５】
表４は、データメモリ６の記録再生予約データ記憶部６ａに記憶されている予約情報の一例を示す表である。
【０１６６】
【表４】
2004153730.tif 000006
【０１６７】
表４に示す予約情報は、記録予約または視聴予約される各コンテンツの開始日時、記録予約または視聴予約される各コンテンツの終了日時、チャンネル、コンテンツ内容、使用種別、使用権保持先、使用権保持者を含む。
【０１６８】
開始日時は、記録予約されるコンテンツの記録を開始する年月日および時刻、または視聴予約されるコンテンツの取得を開始する年月日および時刻を示す。記録または視聴終了日時は、記録予約されるコンテンツの記録を終了する年月日および時刻、または視聴予約されるコンテンツの取得を終了する年月日および時刻を示す。チャンネルは、記録予約または視聴予約されるコンテンツが提供される放送局２０に対応するチャンネルである。コンテンツ内容は、たとえば記録予約または視聴予約されるコンテンツに対応するＥＰＧのインデックスに含まれるコンテンツのタイトルである。録画種別は、コンテンツが録画予約されているかまたは視聴予約されているかを示す。
【０１６９】
使用権保持先は、使用権が設定される出力先を示す。使用権保持者は、予約情報を入力した人物の名前を示す。記録予約または視聴予約されているコンテンツの記録が完了すると、当該コンテンツは予約情報から削除される。
【０１７０】
予約の設定方法は、前述した録画予約と同様に設定することができ、たとえば、図６に示す表示装置２１に表示される予約方法選択メニューＭ５の選択表示領域Ａ１０に、録画予約であるのか、または使用予約であるのかを示す選択肢を表示して、この選択肢のいずれかを選択して決定することができるようにしてもよい。また選択表示領域Ａ１０に、予約をした人物の名前を同時に入力する領域を設けておいてもよい。
【０１７１】
第１ＰＣ２４および第２ＰＣ２６においても、第１ＰＣ２４および第２ＰＣ２６が有する表示装置に、表示装置２１に表示される予約方法選択メニューＭ５と同様なメニューを表示させて、通信部９を介して記録予約および視聴予約を行うことができる。第１ＰＣ２４および第２ＰＣ２６から通信部９を介して入力される予約情報は、中央制御部１１を介してデータメモリ６に記憶される。
【０１７２】
記録予約の場合、指示入力部７および通信部９のいずれから入力された場合であっても、中央制御部１１は、計時部８から与えられる計時情報と予約情報とに基づいて、録画予約日時になると、記録部４にチューナ２ａの使用権を強制的に設定する。視聴予約の場合、中央制御部１１は、計時部８から与えられる計時情報と予約情報とに基づいて、指定予約日時になると、予約情報に登録している出力先にチューナ２ａの使用権を強制的に設定する。したがって現在、チューナ２ａの使用権が設定されている出力先であっても、この使用権が、予約情報の登録よりも後から入力された出力要請によって設定された場合には、中央制御部１１は、予約情報に基づいて、強制的にチューナ２ａの使用権の設定を変更する。
【０１７３】
また記録予約と視聴予約との時間帯が重複する場合には、先に登録している予約を優先して、チューナ２ａの使用権が設定される。本発明の他の実施の形態においては、記録予約と視聴予約との時間帯が重複する場合には、どちらを優先するのかを利用者に選択させてもよい。
【０１７４】
上述した図１４に示すフローチャートの開始条件と、画像入出力部２によって取得したコンテンツを出力先の１つである表示装置２１または記録装置４に与える手順の開始条件とは、それぞれの出力先への出力要請が指示入力部７または通信部９から入力されたときに、中央制御部１１が記録再生制御プログラム５ａを実行することによって、出力要請に対応する出力先に使用権が設定されていると判断したとき、または中央制御部１１が予約情報に基づいて、使用権を設定したときである。
【０１７５】
たとえば表示装置２１に、図２に示すアプリメニューＭ１が表示されているとき、利用者が番組表Ｈ２を選択して決定すると、中央制御部１１は、チューナ２の使用権が設定される出力先について、データメモリ６の録画再生予約データ記憶部６ａに記憶される予約情報を参照して、使用権保持先または使用権保持者、および録画種別を表示画面に図表示するための表示データを生成し、ＥＰＧ表示プログラム５ｉを実行して、チャンネル別番組表Ｍ１２を表示装置２１に表示するように画像入出力部２を制御する。
【０１７６】
図１７は、録画再生予約データ記憶部６ａに予約情報が登録されている場合に、表示装置２１の表示画面に表示されるチャンネル別番組表Ｍ１２を示す図である。第１ＰＣ２４および第２ＰＣ２６の表示装置に、チャンネル別番組表を表示させる場合では、中央制御部１１は通信部９を制御して第１ＰＣ２４および第２ＰＣ２６にチューナ２ａの使用権保持先、または使用権保持者および録画種別を表示画面に図表示するための表示データを与える。これによって、第１ＰＣ２４および第２ＰＣ２６においても、それぞれが備える表示画面に図１７と同様なチャンネル別番組表Ｍ１２を表示させることができる。
【０１７７】
チャンネル別番組表Ｍ１２は、ステータス表示領域Ａ１、項目説明表示領域Ａ３、コンテンツ表示領域Ａ４、操作説明表示領域Ａ５および番組表表示領域Ａ６を有する。ステータス表示領域Ａ１、項目説明表示領域Ａ３、コンテンツ表示領域Ａ４および操作説明表示領域Ａ５は、前述の図２に示すアプリメニューＭ１と同様であるので、同一の参照符号を付して詳細な説明は省略する。番組表表示領域Ａ６において、チューナ２ａの使用権が設定されているコンテンツと同じ時間枠には、予約情報に基づいて使用権が設定されている使用権保持者と、録画種別とを表す予約マークＥ７が表示される。
【０１７８】
予約マークＥ７として使用権保持者を表示することによって、利用者にとってどの出力先に使用権が設定されているのかが判りやすい。また、本実施の形態では、予約マークＥ７として録画種別の代わりにコンテンツを提供する放送局２０の名称、つまりチャンネル名を表示させてもよい。
【０１７９】
前述した表示データは、チャンネル別番組表Ｍ１２を表示装置２１に表示させるときに中央制御部１１によって生成される。したがって利用者に、チューン２ａの使用権の設定状態、つまり利用者が望む出力要請の出力先に使用権を設定することができるか否かを容易に判断することができる。
【０１８０】
通信部９とＬＡＮ２３またはインターネット２５とを介して、画像再生記録装置１と通信可能に接続される複数の第１ＰＣ２４および第２ＰＣ２６のうちのいずれか１つが、各放送局２０から提供されるコンテンツを、各放送局２０のうちの１つの提供局２０を選択して取得するチューナ２ａと同様なチューナを備えている場合、中央制御部１１は、プログラムメモリ５の記録再生制御プログラム５ａに記録される記録再生制御プログラムに基づいて、チューナを備える第１ＰＣ２４および第２ＰＣ２６、具体的には第１ＰＣ２４および第２ＰＣ２６が備えるチューナを制御する。以後、画像再生記録装置１が備えるチューナ２ａおよび第１ＰＣ２４および第２ＰＣ２６が備えるチューナとをまとめてチューナ２ａと表記する場合がある。
【０１８１】
本実施の形態の画像記録再生装置１では、中央制御部１１が制御するチューナ２ａの数ｎ（ｎは自然数）は、チューナ２ａによって取得したコンテンツを出力する出力先の数ｍ（ｍは自然数）よりも小さい。中央制御部１１は、各チューナの使用権を設定する。各チューナ２ａの使用権は、上述したチューナ２ａが１つである場合の使用権と同様であり、入力される出力要請に基づいて、先に入力された出力要請を優先させて使用権を優先させて設定する。
【０１８２】
表５は、データメモリ６の記録再生予約データ記憶部６ａに記憶されている複数のチューナ２ａの使用権の設定を示す使用権情報を示す図である。
【０１８３】
【表５】
2004153730.tif 000007
【０１８４】
表５に示す使用権情報は、チューナＩＤ、機器名、使用者名および使用権を含む。チューナＩＤは、中央制御部１１が制御するチューナ２ａの管理番号である。機器名は、チューナ２ａが設けられる機器の名称である。出力先および使用者名は、前述した表１に示す出力先および使用者名と同様であるので、その説明を省略する。使用権は、各出力先にチューナ２ａの使用権が設定されているか、つまり対応する出力先への出力要請に基づいて、チューナ２ａによって放送局２０の選択の変更が可能であるか否かを示す。出力先にチューナ２ａの使用権が設定されている場合には、たとえば表１では、「１」を記し、使用権が設定されていない場合には、「０」を記している。
【０１８５】
使用権情報は、基本的には表１に示す画像入力情報と同様であるが、中央制御部１１は複数のチューナ２ａを制御するので、複数の出力先にチューナ２ａの使用権を設定する。
【０１８６】
このように中央制御部１１は、各放送局２０のうちの１つの放送局２０を選択して取得する他の装置を、画像入出力部２が備えるチューナ２ａと同様に通信部９を介して制御可能である。つまり中央制御部１１は、この中央制御部１１に接続される全てのチューナ２ａを制御することができる。したがって、出力先の出力要請に基づいて、画像記録再生装置１に設けられる画像入出力部２がコンテンツを１つの出力先に与えている場合であっても、中央制御部１１は、他の出力先への出力要請に基づいて、通信部９および他の装置のチューナ２ａを制御することによって、他の出力先への出力要請に基づいて、他のコンテンツを取得して与えることができる。したがって利用者は、チューナ２ａを効率的に使用して、コンテンツを得ることができる。
【０１８７】
本発明の他の実施の形態において、画像記録再生装置１は、複数のチューナ２ａを備えてもよい。画像記録再生装置１が複数のチューナ２ａを備える場合であっても、第１ＰＣ２４および第２ＰＣ２６がチューナを備える場合と同様に、中央制御部１１は、チューナ２ａの使用権を設定して、各チューナ２ａを制御する。
【０１８８】
本発明の他の実施の形態では、通信部９とＬＡＮ２３またはインターネット２５を介して、画像再生記録装置１と通信可能に接続される複数の第１ＰＣ２４および第２ＰＣ２６のうちのいずれか１つが、各放送局２０から提供されるコンテンツを、各放送局２０のうちの１つの提供局２０を選択して取得するチューナ、つまり前述した画像入出力部２のチューナ２ａと同様なチューナを備えている場合、中央制御部１１は、プログラムメモリ５の記録再生制御プログラム５ａに基づいて、画像入出力部２のチューナ２ａにおけるコンテンツの取得状況を第１ＰＣ２４および第２ＰＣ２６に与え、また第１ＰＣ２４および第２ＰＣ２６におけるコンテンツの取得状況を取得するように通信部９を制御する。
【０１８９】
チューナを有する第１ＰＣ２４および第２ＰＣ２６は、それぞれが有するデータメモリに前述した表１に示すような使用権情報を有し、それぞれの装置において、制御部が、自己が有するチューナの使用権を設定する。
【０１９０】
図１８は、コンテンツを出力する出力要請が指示入力部７または通信部９に入力されたときに表示装置２１に表示されるチューナ選択メニューＭ１３を示す図である。コンテンツを出力する出力要請が指示入力部７または通信部９に入力されたときに、中央制御部１１は、チューナを有する第１ＰＣ２４および第２ＰＣ２６におけるコンテンツの取得状況、つまり各機器のデータメモリから使用権情報を、通信部９を制御して取得する。中央制御部１１は、通信部９を制御して受信した各使用権情報に基づいて、使用権が設定されていないチューナを備える機器を表示画面に図表示するための表示データを生成して、前記表示データを、画像入出力部２を制御して、表示装置２１に与える。つまり中央制御部１１は、使用可能なチューナを有する装置の一覧を示す表示データを生成して、画像入出力部２を制御して表示装置２１に与える。
【０１９１】
チューナ選択メニューＭ１３は、チューナ選択領域Ａ１８を有する。チューナ選択領域Ａ１８には、チューナの使用権が設定されていない装置、つまりチューナの使用が可能な装置の名称が表示される。選択されている装置には、現在選択されていることを示す選択マークＥ８が付加されて表示される。
【０１９２】
チューナ選択領域Ａ１８には、「ＯＫ」ボタンＢ１１および「キャンセル」ボタンＢ１２が、下方に表示される。
【０１９３】
表示装置２１に図１８に示すチューナ選択メニューＭ１３が表示されているとき、利用者は、リモコン２２のカーソルボタンを操作することによって、表示されている選択マークＥ８を上下に移動させることができる。利用者が、リモコン２２を操作して、チューナ選択メニューＭ１３に表示されている「ＯＫ」ボタンＢ１３を選択して決定すると、中央制御部１１は、通信部９を制御して、出力要請に基づいて、所望のコンテンツを取得するように選択した装置のチューナを制御する。また利用者は、リモコン２２を操作して、チューナ選択メニューＭ１３に表示されている「キャンセル」ボタンＢ１２を選択して決定すると、図１８に示すチューナ選択メニューＭ１３の表示を終了させることができる。
【０１９４】
また、図１８に示すチューナ選択メニューＭ１３が表示されている間に、チューナを有する装置のチューナの使用権が、表示装置２１とは異なる出力先に与えられた場合には、中央制御部１１がそのチューナを制御することが拒否され、中央制御部１１は、使用権が設定されていないチューナを有する装置の一覧を再表示する。
【０１９５】
このように中央制御手段１１は、他の装置が有するチューナにおいてコンテンツを取得しているか否かを判断して、他の装置においてチューナを使用してコンテンツを取得していない場合には、他の装置のチューナを制御して出力先への出力要請に基づいて、コンテンツを取得させることによって、コンテンツを効率的に出力先に与えることができる。
【０１９６】
図１８に示される画像入出力部選択メニューＭ１３は、チューナを有する第１ＰＣ２４および第２ＰＣ２６の表示装置にも表示され、第１ＰＣ２４および第２ＰＣ２６のそれぞれにおいても、同様にコンテンツを取得するチューナを選択することができる。
【０１９７】
また画像記録再生装置１において、コンテンツは動画像および音声が含まれる動画像であるとしたけれども、これに限ることはない。コンテンツは、経時的に変化するような情報、たとえば音声としてもよい。またコンテンツは経時的に変化しない、たとえば静止画像、ウェブコンテンツなどのＨＴＭＬ（Ｈｙｐｅｒ  Ｔｅｘｔ  Ｍａｒｋｕｐ  Ｌａｎｇｕａｇｅ）などのマークアップ言語で記述されたデータおよびプログラムであってもよい。
【０１９８】
また画像記録再生装置１において、提供元は放送局２０としたけれども、これに限ることはない。提供元は、たとえばインターネット２５を介して接続されるコンテンツサーバであってもよい。
【０１９９】
【発明の効果】
以上のように本発明によれば、制御手段は、いずれか１つの出力先にコンテンツを出力する出力要請に基づいて、取得したコンテンツを前記１つの出力先に与えているときに、そのコンテンツを取得した取得部における提供元の選択の変更であって、かつ前記１つの出力先への出力要請よりも後から入力された他の出力先への出力要請に基づく変更を禁止する。つまり、異なる出力先にそれぞれ異なるコンテンツを出力する出力要請が入力手段によって入力された場合に、後から入力された出力要請によって、取得部が選択してコンテンツを取得している提供元の変更してしまうことを防止することができる。したがって、各出力先での取得手段が取得するコンテンツを提供する提供元の変更の競合を防止することができ、１つの出力先に取得手段によって取得したコンテンツが与えられているときには、この出力先に出力されるコンテンツが不所望に他のコンテンツに変更されることを防止することができるので、取得手段によって取得したコンテンツを出力先に安定して与えることができ、出力先では、コンテンツを安定して得ることができる。
【０２００】
また本発明によれば、制御手段は、入力される出力要請に基づいて、先に入力された出力要請を優先させて、その出力要請の出力先の使用権として取得部の使用権を設定する。したがって、制御手段は、設定した取得部の使用権を確認することによって、取得手段における提供元の選択の変更を禁止するか否かを容易に判定することができ、取得部における提供元の選択の変更を効率的に行うことができる。
【０２０１】
また本発明によれば、制御手段は、出力先にコンテンツを出力する出力要請が入力手段によって入力されたときに、既に取得部の使用権が設定されていて、取得部の使用権を設定することができない場合であって、その出力要請が既に使用権の設定されている取得部で取得されるコンテンツと同一の場合には、その出力要請に基づいてコンテンツを出力するように出力手段を制御する。つまり制御手段は、出力先のコンテンツを出力する出力要請が同じであれば、複数の出力先に取得手段によって取得した同一のコンテンツを与える。したがって、複数の出力先においては、同じコンテンツを得ることができるので、取得手段によって取得したコンテンツの利用範囲が拡大する。
【０２０２】
また本発明によれば、制御手段は、各提供元のうちの１つの提供元を選択して取得する他の装置を、取得手段が備える取得部と同様に通信手段を介して制御可能である。つまり制御部は、この制御手段に接続される他の装置を制御することによって、コンテンツを取得することができる。したがって、出力先の出力要請に基づいて、取得手段がコンテンツを１つの出力先に与えている場合であっても、他の出力先への出力要請に基づいて、通信手段を介して他の装置からコンテンツを取得することができるので、出力先への出力要請に基づいて、効率的にコンテンツを出力先に与えることができる。
【０２０３】
また本発明によれば、制御手段は、通信手段を介して、取得手段の取得部におけるコンテンツ取得状況を他の装置に与えることができるとともに、他の装置におけるコンテンツの取得状況を取得可能である。したがって制御手段は、他の装置がコンテンツを取得しているか否かが判るので、コンテンツを取得していない場合には、他の装置を制御して、出力先への出力要請に基づいて、コンテンツを取得させることによって、コンテンツを効率的に出力先に与えることができる。
【０２０４】
また本発明によれば、表示データは、取得部の使用権の設定状態を図示するときに生成されるので、利用者に、取得部の使用権の設定状態、つまり利用者が望む出力要請の出力先に使用権を設定することができるか否かを容易に判断することができる。
【図面の簡単な説明】
【図１】本発明の実施の一形態の画像記録再生装置１の構成を示すブロック図である。
【図２】表示装置２１に表示されるアプリメニューＭ１を示す図である。
【図３】表示装置２１に表示されるチャンネル別番組表Ｍ２を示す図である。
【図４】表示装置２１に表示される番組ナビＭ３を示す図である。
【図５】表示装置２１に表示される記録一覧表Ｍ４を示す図である。
【図６】表示装置２１に表示される予約方法選択メニューＭ５を示す図である。
【図７】記録予約における概略的な手順および表示されるメニューを示す図である。
【図８】表示装置２１に表示される手動予約登録メニューＭ６を示す図である。
【図９】表示装置２１に表示されるキーワード一覧表Ｍ７を示す図である。
【図１０】表示装置２１に表示されるキーワード編集メニューＭ８を示す図である。
【図１１】表示装置２１に表示される予約確認メニューＭ９を示す図である。
【図１２】記録予約が重複したときに表示装置２１に表示される予約重複確認メニューＭ１０を示す図である。
【図１３】記録部４に記録予約されるコンテンツを記録可能な記憶容量が無いときに表示装置２１に表示される容量不足確認メニューＭ１１を示す図である。
【図１４】画像入出力部２によって取得したコンテンツを、出力先の１つである第１ＰＣ２４に与える中央制御部１１の手順を示すフローチャートである。
【図１５】画像入出力部２によって取得したコンテンツを受取り、第１ＰＣ表示装置に表示させる第１ＰＣ制御部の手順を示すフローチャートである。
【図１６】使用権が設定されていない出力先に出力されるコンテンツを表示させたときの表示画面３０を示す図である。
【図１７】録画再生予約データ記憶部６ａに予約情報が登録されている場合に、表示装置２１の表示画面に表示されるチャンネル別番組表Ｍ１２を示す図である。
【図１８】コンテンツを出力する出力要請が指示入力部７または通信部９入力されたときに表示装置２１に表示されるチューナ選択メニューＭ１３を示す図である。
【符号の説明】
１  画像記録再生装置
２  画像入出力部
４  記録部
７  指示入力部
９  通信部
１１  中央制御部
２０  放送局
【図１】
2004153730.tif 000008
【図２】
2004153730.tif 000009
【図３】
2004153730.tif 000010
【図４】
2004153730.tif 000011
【図５】
2004153730.tif 000012
【図６】
2004153730.tif 000013
【図７】
2004153730.tif 000014
【図８】
2004153730.tif 000015
【図９】
2004153730.tif 000016
【図１０】
2004153730.tif 000017
【図１１】
2004153730.tif 000018
【図１２】
2004153730.tif 000019
【図１３】
2004153730.tif 000020
【図１４】
2004153730.tif 000021
【図１５】
2004153730.tif 000022
【図１６】
2004153730.tif 000023
【図１７】
2004153730.tif 000024
【図１８】
2004153730.tif 000025